(57)【特許請求の範囲】
【請求項１】
ワイヤレス通信のための方法であって、
基地局が、指定されたリソースの第１のサブセット上で少なくとも１つのオーバーヘッド送信を送信することと、前記指定されたリソースは、マクロ基地局によって同じ指定されたリソース上で送信されるオーバーヘッド送信のために指定されて、２つ以上の前記マクロ基地局がどちらも前記指定されたリソースの前記第１のサブセット上で送信し、
前記基地局が、前記指定されたリソースの第２のサブセット上で前記少なくとも１つのオーバーヘッド送信をブランクにすることと、
前記基地局が、前記指定されたリソースの前記第２のサブセット上で少なくとも１つの他の基地局からのオーバーヘッド送信を検出することと、
を備える、方法。
【請求項２】
前記少なくとも１つのオーバーヘッド送信は、１次同期信号（ＰＳＳ）、または２次同期信号（ＳＳＳ）、またはブロードキャストチャネル、またはセル特有の基準信号（ＣＲＳ）、またはこれらの組合わせを含む、請求項１に記載の方法。
【請求項３】
前記指定されたリソースの前記第２のサブセットを擬似ランダムに選択すること、または、ブランキングパターンに基づいて前記指定されたリソースの前記第２のサブセットを決定すること、をさらに備える請求項１に記載の方法。
【請求項４】
前記指定されたリソースのうちの少なくともいくつかで前記少なくとも１つのオーバーヘッド送信をブランクにする要求を受信することをさらに備え、前記少なくとも１つのオーバーヘッド送信は、前記要求に応答して、前記指定されたリソースの前記第２のサブセット上で送信されない、請求項１に記載の方法。
【請求項５】
複数の搬送波のうちの少なくとも１つの搬送波上で前記少なくとも１つのオーバーヘッド送信を送信することと、
前記複数の搬送波のうちの少なくとも１つの残りの搬送波上で前記少なくとも１つのオーバーヘッド送信をブランクにすることと、
をさらに備える請求項１に記載の方法。
【請求項６】
複数の搬送波のうちのアンカ搬送波上で前記少なくとも１つのオーバーヘッド送信を送信することをさらに備え、少なくとも１つの隣接基地局は、少なくとも１つの異なるアンカ搬送波に割り当てられる、請求項１に記載の方法。
【請求項７】
前記複数の搬送波のうちの少なくとも１つの追加の搬送波上で前記少なくとも１つのオーバーヘッド送信を送信すること、をさらに備える請求項６に記載の方法。
【請求項８】
前記指定されたリソースは、前記少なくとも１つのオーバーヘッド送信が前記マクロ基地局によって送信される指定されたサブフレームを含み、前記少なくとも１つのオーバーヘッド送信は、前記指定されたサブフレームの第１のサブセットにおいて送信され、前記指定されたサブフレームの第２のサブセットにおいて送信されない、請求項１に記載の方法。
【請求項９】
前記少なくとも１つのオーバーヘッド送信が送信されない各サブフレームをマルチキャスト／ブロードキャスト単一周波数ネットワーク（ＭＢＳＦＮ）サブフレームと宣言すること、をさらに備える請求項８に記載の方法。
【請求項１０】
前記少なくとも１つのオーバーヘッド送信は、１次同期信号（ＰＳＳ）および２次同期信号（ＳＳＳ）を含み、前記方法は、
前記指定されたリソースの前記第２のサブセット上でセル特有の基準信号（ＣＲＳ）を送信すること、
をさらに備える請求項１に記載の方法。
【請求項１１】
前記指定されたリソースの前記第２のサブセット上でのデータ送信のためにユーザ装置（ＵＥ）をスケジュールしないこと、をさらに備える請求項１に記載の方法。
【請求項１２】
前記指定されたリソースの前記第２のサブセットを搬送するためにシグナリングを送信すること、をさらに備える請求項１に記載の方法。
【請求項１３】
ワイヤレス通信のための装置であって、
基地局が、指定されたリソースの第１のサブセット上で少なくとも１つのオーバーヘッド送信を送信する手段と、前記指定されたリソースは、マクロ基地局によって同じ指定されたリソース上で送信されるオーバーヘッド送信のために指定されて、２つ以上の前記マクロ基地局がどちらも前記指定されたリソースの前記第１のサブセット上で送信し、
前記基地局が、前記指定されたリソースの第２のサブセット上で前記少なくとも１つのオーバーヘッド送信をブランクにする手段と、
前記基地局が、前記指定されたリソースの前記第２のサブセット上で少なくとも１つの他の基地局からのオーバーヘッド送信を検出する手段と、
を備える、装置。
【請求項１４】
前記指定されたリソースの前記第２のサブセットを擬ランダムに選択する、またはブランキングパターンに基づいて前記指定されたリソースの前記第２のサブセットを決定する手段、をさらに備える請求項１３に記載の装置。
【請求項１５】
複数の搬送波のうちの少なくとも１つの搬送波上で前記少なくとも１つのオーバーヘッド送信を送信する手段と、
前記複数の搬送波のうちの少なくとも１つの残りの搬送波上で前記少なくとも１つのオーバーヘッド送信をブランクにする手段と、
をさらに備える請求項１３に記載の装置。
【請求項１６】
ワイヤレス通信のための装置であって、
基地局が、指定されたリソースの第１のサブセット上で少なくとも１つのオーバーヘッド送信を送信し、前記指定されたリソースは、マクロ基地局によって同じ指定されたリソース上で送信されるオーバーヘッド送信のために指定されて、２つ以上の前記マクロ基地局がどちらも前記指定されたリソースの前記第１のサブセット上で送信し、
前記基地局が、前記指定されたリソースの第２のサブセット上で前記少なくとも１つのオーバーヘッド送信をブランクにし、
前記基地局が、前記指定されたリソースの前記第２のサブセット上で少なくとも１つの他の基地局からのオーバーヘッド送信を検出するように構成される少なくとも１つのプロセッサを備える装置。
【請求項１７】
前記少なくとも１つのプロセッサは、さらに、前記指定されたリソースの前記第２のサブセットを擬似ランダムに選択するか、またはブランキングパターンに基づいて、前記指定されたリソースの前記第２のサブセットを決定するように構成される、請求項１６に記載の装置。
【請求項１８】
前記少なくとも１つのプロセッサは、さらに、複数の搬送波のうちの少なくとも１つの搬送波上で前記少なくとも１つのオーバーヘッド送信を送信し、前記複数の搬送波のうちの少なくとも１つの残りの搬送波上で前記少なくとも１つのオーバーヘッド送信をブランクにするように構成される、請求項１６に記載の装置。
【請求項１９】
少なくとも１つの基地局に、指定されたリソースの第１のサブセット上で少なくとも１つのオーバーヘッド送信を送信させるためのコードと、前記指定されたリソースは、マクロ基地局によって同じ指定されたリソース上で送信されるオーバーヘッド送信のために指定されて、２つ以上の前記マクロ基地局がどちらも前記指定されたリソースの前記第１のサブセット上で送信し、
前記少なくとも１つの基地局に、前記指定されたリソースの第２のサブセット上で前記少なくとも１つのオーバーヘッド送信をブランクにさせるためのコードと、
前記少なくとも１つの基地局に、前記指定されたリソースの前記第２のサブセット上で少なくとも１つの他の基地局からのオーバーヘッド送信を検出させるためのコードと、
を含むコンピュータプログラム。
【請求項２０】
ワイヤレス通信のための方法であって、
指定されたリソースの第１のサブセット上で少なくとも１つのオーバーヘッド送信を送信することと、前記指定されたリソースは、マクロ基地局によって同じ指定されたリソース上で送信されるオーバーヘッド送信のために指定されて、２つ以上の前記マクロ基地局がどちらも前記指定されたリソースの前記第１のサブセット上で送信し、
マクロ基地局によって前記オーバーヘッド送信を送信するために指定されない１セットの追加のリソースを決定することと、
前記１セットの追加のリソース上で前記少なくとも１つのオーバーヘッド送信を送信すること、
を備える方法。
【請求項２１】
指定されたリソースの少なくとも第２のサブセット上で少なくとも１つの基地局からのオーバーヘッド送信を検出すること、をさらに備える請求項２０に記載の方法。
【請求項２２】
前記１セットの追加のリソースは、擬似ランダムに選択されるか、または所定のパターンに基づいて決定される、請求項２０に記載の方法。
【請求項２３】
前記１セットの追加のリソースは、前記マクロ基地局のサブフレームに関係するサブフレームオフセットに基づいて決定される１セットのサブフレームを含む、請求項２０に記載の方法。
【請求項２４】
前記１セットの追加のリソースは、指定されたリソースから周波数においてずれている、請求項２０に記載の方法。
【請求項２５】
ワイヤレス通信のための装置であって、
指定されたリソースの第１のサブセット上で少なくとも１つのオーバーヘッド送信を送信する手段と、前記指定されたリソースは、マクロ基地局によって同じ指定されたリソース上で送信されるオーバーヘッド送信のために指定されて、２つ以上の前記マクロ基地局がどちらも前記指定されたリソースの前記第１のサブセット上で送信し、
マクロ基地局によって前記少なくとも１つのオーバーヘッド送信を送信するために指定されない１セットの追加のリソースを決定する手段と、
前記１セットの追加のリソース上で前記少なくとも１つのオーバーヘッド送信を送信する手段と、
を備える装置。
【請求項２６】
指定されたリソースの少なくともの第２のサブセット上で少なくとも１つの基地局からのオーバーヘッド送信を検出する手段、をさらに備える請求項２５に記載の装置。
【請求項２７】
ワイヤレス通信のための装置であって、
指定されたリソースの第１のサブセット上で少なくとも１つのオーバーヘッド送信を送信し、前記指定されたリソースは、マクロ基地局によって同じ指定されたリソース上で送信されるオーバーヘッド送信のために指定されて、２つ以上の前記マクロ基地局がどちらも前記指定されたリソースの前記第１のサブセット上で送信し、
マクロ基地局によって前記少なくとも１つのオーバーヘッド送信を送信するために指定されない１セットの追加のリソースを決定し、前記１セットの追加のリソース上で前記少なくとも１つのオーバーヘッド送信を送信するように構成される少なくとも１つのプロセッサを備える装置。
【請求項２８】
少なくとも１つのコンピュータに、指定されたリソースの第１のサブセット上で少なくとも１つのオーバーヘッド送信を送信させるためのコードと、前記指定されたリソースは、マクロ基地局によって同じ指定されたリソース上で送信されるオーバーヘッド送信のために指定されて、２つ以上の前記マクロ基地局がどちらも前記指定されたリソースの前記第１のサブセット上で送信し、
マクロ基地局によって前記少なくとも１つのオーバーヘッド送信を送信するために指定されない１セットの追加のリソースを決定させるためのコードと、
前記少なくとも１つのオンピュータに、前記１セットの追加のリソース上で前記少なくとも１つのオーバーヘッド送信を送信させるためのコードと、
を含むコンピュータプログラム。
【請求項２９】
ワイヤレス通信のための方法であって、
基地局が、別の基地局からの少なくとも１つのオーバーヘッド送信を検出するためのリソースを決定することと、前記別の基地局は、ブランキングをともなって指定されたリソース上で、または前記指定されたリソースと異なる追加のリソース上で、または両方のリソース上で前記少なくとも１つのオーバーヘッド送信を送信し、前記指定されたリソースは、前記基地局を含む複数のマクロ基地局によって同じ指定されたリソース上で送信されるオーバーヘッド送信のために指定されて、２つ以上の前記マクロ基地局がどちらも前記指定されたリソースの第１のサブセット上で送信し、
前記基地局が、前記決定されたリソース上で前記別の基地局からの前記少なくとも１つの送信を検出することと、
を備える方法。
【請求項３０】
前記別の基地局は、擬似ランダムに選択されるかまたはブランキングパターンに基づいて決定されるリソース上で前記少なくとも１つのオーバーヘッド送信をブランクにする、請求項２９に記載の方法。
【請求項３１】
前記別の基地局は、擬似ランダムに選択されるかまたは所定のパターンに基づいて決定される前記追加のリソース上で前記少なくとも１つのオーバーヘッド送信を送信する、請求項２９に記載の方法。
【請求項３２】
前記基地局が、前記指定されたリソースのうちの少なくともいくつかのリソース上で前記少なくとも１つのオーバーヘッド送信をブランクにする要求を送信することをさらに備え、前記少なくとも１つのオーバーヘッド送信は、前記要求に応答して、前記指定されたリソースの少なくとも１つのサブセット上で前記別の基地局によって送信されない、請求項２９に記載の方法。
【請求項３３】
前記基地局が、前記少なくとも１つのオーバーヘッド送信が前記別の基地局によって送信されないサブフレームにおいて非連続受信（ＤＲＸ）モードで動作すること、をさらに備える請求項２９に記載の方法。
【請求項３４】
ワイヤレス通信のための装置であって、
基地局によって、別の基地局からの少なくとも１つのオーバーヘッド送信を検出するリソースを決定する手段と、前記別の基地局は、ブランキングをともなって指定されたリソース上で、または前記指定されたリソースとは異なる追加のリソース上で、またはその両方のリソース上で、前記少なくとも１つのオーバーヘッド送信を送信し、前記指定されたリソースは、前記基地局を含む複数のマクロ基地局によって同じ指定されたリソース上で送信されるオーバーヘッド送信のために指定されて、２つ以上の前記マクロ基地局がどちらも前記指定されたリソースの第１のサブセット上で送信し、
前記基地局によって、前記決定されたリソース上で前記別の基地局からの前記少なくとも１つの送信を検出する手段と、
を備える装置。
【請求項３５】
前記別の基地局は、擬似ランダムに選択されるかまたはブランキングパターンに基づいて決定されるリソース上で、前記少なくとも１つのオーバーヘッド送信をブランクにする、請求項３４に記載の装置。
【請求項３６】
前記基地局によって、前記指定されたリソースのうちの少なくともいくつかのリソース上で前記少なくとも１つのオーバーヘッド送信をブランクにする要求を送信するための手段をさらに備え、前記少なくとも１つのオーバーヘッド送信は、前記要求に応答して、前記指定されたリソースの少なくとも１つのサブセット上で前記別の基地局によって送信されない、請求項３４に記載の装置。
【請求項３７】
ワイヤレス通信のための装置であって、
基地局によって、別の基地局からの少なくとも１つのオーバーヘッド送信を検出するためのリソースを決定し、前記決定されたリソース上で前記別の基地局からの前記少なくとも１つの送信を検出するように構成される少なくとも１つのプロセッサを備え、
前記別の基地局は、ブランキングをともなって指定されたリソース上で、または前記指定されたリソースとは異なる追加のリソース上で、または両方のリソース上で、前記少なくとも１つのオーバーヘッド送信を送信し、
前記指定されたリソースは、前記少なくとも１つのオーバーヘッド送信が前記基地局を含む複数のマクロ基地局によって送信されるオーバーヘッド送信のために指定されて、２つ以上の前記マクロ基地局がどちらも前記指定されたリソースの第１のサブセット上で送信する、装置。
【請求項３８】
基地局の少なくとも１つのコンピュータに、別の基地局からの少なくとも１つのオーバーヘッド送信を検出するためのリソースを決定させるためのコードと、前記別の基地局は、ブランキングをともなって指定されたリソース上で、または前記指定されたリソースとは異なる追加のリソース上で、または両方のリソース上で、前記少なくとも１つのオーバーヘッド送信を送信し、前記指定されたリソースは、前記基地局を含む複数のマクロ基地局によって同じ指定されたリソース上で送信されるオーバーヘッド送信のために指定されて、２つ以上の前記マクロ基地局がどちらも前記指定されたリソースの第１のサブセット上で送信し、
前記少なくとも１つのコンピュータに、前記決定されたリソース上で前記別の基地局からの前記少なくとも１つの送信を検出させるためのコードと、
を含むコンピュータプログラム。
【発明の詳細な説明】
【優先権の主張】
【０００１】
本特許出願は、2009年５月１日に出願された「CELL ACQUISITION AND SYSTEM INFORMATION BLOCK DETECTION」という名称の米国仮出願61/174,755に基づいて優先権を主張するものであって、当該仮出願は、本願の被譲渡人に譲渡され、参照によって本明細書の全体に組み込まれている。
【技術分野】
【０００２】
本開示は、一般に、通信に関係し、より詳細には、ワイヤレス通信ネットワークにおけるオーバーヘッドチャネルおよび信号の送信および受信の技術に関係する。
【背景技術】
【０００３】
ワイヤレス通信ネットワークは、音声、ビデオ、パケットデータ、メッセージ、ブロードキャストなどのような様々な通信コンテンツを提供するように広く発展されている。これらのワイヤレスネットワークは、利用可能なネットワークリソースを共有することによって複数のユーザをサポートすることができる多元接続ネットワークであり得る。そのような多元接続ネットワークの事例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークを含む。
【０００４】
ワイヤレス通信ネットワークは、いくつかのユーザ装置（ＵＥ）に関する通信をサポートすることができるいくつかの基地局を含むことができる。基地局は、様々なオーバーヘッドチャネルおよび信号を、そのカバレッジ内のＵＥへ送信し得る。オーバーヘッド信号は、獲得および／または他の目的のためにＵＥによって使用され得る。オーバーヘッドチャネルは、ＵＥが、基地局と通信することを可能にし得るシステム情報を搬送することができる。オーバーヘッドチャネルおよび信号を効率的に送信および受信することが望ましい場合がある。
【発明の概要】
【０００５】
ワイヤレスネットワークにおいてオーバーヘッドチャネルおよび信号を送信および検出するための技術が本明細書において説明される。基地局は、例えば、他の基地局についての情報を獲得し、自身のパラメータをそれに応じて設定するために、他の基地局のオーバーヘッドチャネルおよび信号を検出することを望む。しかしながら、基地局は、そのＵＥへオーバーヘッドチャネルおよび信号を送信する必要がある。
【０００６】
ある態様において、基地局は、他の基地局のオーバーヘッドチャネルおよび信号を検出するために、あるリソース上のそのオーバーヘッドチャネルおよび信号をブランクにする（つまり、送信しない）。ある設計において、基地局は、指定されたリソースの第１のサブセット上で少なくとも１つのオーバーヘッド送信を送信し、指定されたリソースの第２のサブセット上の少なくとも１つのオーバーヘッド送信をブランクにすることができる。指定されたリソースは、少なくとも１つのオーバーヘッド送信がマクロ基地局によって送信されるリソースであり得る。少なくとも１つのオーバーヘッド送信は、１次同期信号（ＰＳＳ：primary synchronization signal）、または２次同期信号（ＳＳＳ：secondary synchronization signal）、またはブロードキャストチャネル、またはセル特有の基準信号（ＣＲＳ：cell-specific reference signal）、またはいくつかの他のオーバーヘッド送信、またはこれらのものの組合わせを備えることができる。基地局は、指定されたリソースの第２のサブセット上の少なくとも１つの他の基地局からの少なくとも１つのオーバーヘッド送信を検出することができる。
【０００７】
他の態様において、基地局は、指定されたリソースと異なる追加のリソース上でそのオーバーヘッドチャネルおよび信号を送信することができる。ある設計では、基地局は、少なくとも１つのオーバーヘッド送信を送信するために、マクロ基地局によって使用されない１セットのリソースを決定することができる。当該局は、１セットのリソース上で少なくとも１つのオーバーヘッド送信を送信することができる。当該局は、指定されたリソースの少なくとも１つのサブセット上で少なくとも１つの基地局からの少なくとも１つのオーバーヘッド送信を検出することができる。
【０００８】
ある設計では、ＵＥ（または基地局）は、基地局からの少なくとも１つのオーバーヘッド送信を検出するためのリソースを決定することができる。基地局は、指定されたリソース上でブランキングありでおよび／または指定されたリソースと異なる追加のリソース上で、少なくとも１つのオーバーヘッド送信を送信することができる。ＵＥは、決定されたリソース上で基地局からの少なくとも１つの送信を検出することができる。
【０００９】
さらに他の態様では、ＵＥ（または基地局）は、干渉除去を用いて基地局のオーバーヘッドチャネルおよび信号を検出することができる。ある設計では、ＵＥは、複数の基地局から少なくとも１つのオーバーヘッド送信を備える受信信号を得ることができる。少なくとも１つのオーバーヘッド送信は、同期信号、またはブロードキャストチャネル、またはいくつかの他のオーバーヘッド送信、またはこれらの組合わせを備えることができる。複数の基地局は、少なくとも１つの干渉する基地局および少なくとも１つの所望の基地局を備え得る。ＵＥは、少なくとも１つの干渉する基地局からの少なくとも１つのオーバーヘッド送信による干渉を推定し、受信信号から推定された干渉を除去して、干渉除去された信号を得る。ＵＥは、その後、干渉除去された信号に基づいて、少なくとも１つの所望の基地局からの少なくとも１つのオーバーヘッド送信を検出する。
【００１０】
開示された様々な態様および特徴は、以下でさらに詳細に説明される。
【図面の簡単な説明】
【００１１】
【図１】図１は、ワイヤレス通信ネットワークを図示する。
【図２】図２は、典型的なフレーム構造を図示する。
【図３】図３は、２つの典型的なサブフレーム・フォーマットを図示する。
【図４】図４は、オーバーヘッド送信を送信する２つの基地局を図示する。
【図５】図５は、ブランキング（blanking）ありでオーバーヘッド送信を送信する基地局を図示する。
【図６】図６は、ブランキングありで少なくとも１つのオーバーヘッド送信を送信するためのプロセスを図示する。
【図７】図７は、ブランキングありで少なくとも１つのオーバーヘッド送信を送信するための装置を図示する。
【図８】図８は、追加のリソース上で少なくとも１つのオーバーヘッド送信を送信するためのプロセスを図示する。
【図９】図９は、追加のリソース上で少なくとも１つのオーバーヘッド送信を送信するための装置を図示する。
【図１０】図１０は、少なくとも１つのオーバーヘッド送信を受信するためのプロセスを図示する。
【図１１】図１１は、少なくとも１つのオーバーヘッド送信を受信するための装置を図示する。
【図１２】図１２は、干渉除去を用いて少なくとも１つのオーバーヘッド送信を受信するためのプロセスを図示する。
【図１３】図１３は、干渉除去を用いて少なくとも１つのオーバーヘッド送信を受信するための装置を図示する。
【図１４】図１４は、基地局およびＵＥのブロック図を図示する。
【発明の詳細な説明】
【００１２】
本明細書において説明される技術は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークに使用され得る。「ネットワーク」および「システム」という用語は、しばしば交換的に使用される。ＣＤＭＡネットワークは、ＵＴＲＡ（Universal Terrestrial Radio Access）、ｃｄｍａ２０００などのような無線技術を実装し得る。ＵＴＲＡは、広帯域ＣＤＭＡ（ＷＣＤＭＡ）およびＣＤＭＡの他の変形を含む。ｃｄｍａ２０００は、ＩＳ−２０００、ＩＳ−９５、およびＩＳ−８５６標準をカバーする。ＴＤＭＡネットワークは、ＧＳＭ（登録商標）（Global System for Mobile Communications）のような無線技術を実装し得る。ＯＦＤＭＡネットワークは、Ｅ−ＵＴＲＡ（Evolved UTRA）、ＵＭＢ（Ultra Mobile Broadband）、ＩＥＥＥ８０２.１１（Ｗｉ−Ｆｉ）、ＩＥＥＥ８０２.１６（ＷｉＭＡＸ）、ＩＥＥＥ８０２.２０、フラッシュＯＦＤＭ（商標登録）などのような無線技術を実装することができる。ＵＴＲＡおよびＥ−ＵＴＲＡは、ＵＭＴＳ（Universal Mobile Telecommunication System）の一部である。３ＧＰＰ  ＬＴＥ（Long Term Evolution）およびＬＴＥ−Ａ（LTE-Advanced）は、Ｅ−ＵＴＲＡを使用するＵＭＴＳの最新版である。ＵＴＲＡ、Ｅ−ＵＴＲＡ、ＵＭＴＳ、ＬＴＥ、ＬＴＥ−ＡおよびＧＳＭは、「第３世代パートナーシップ・プロジェクト」（３ＧＰＰ）という名称の団体からの文献に記述されている。ｃｄｍａ２０００およびＵＭＢは、「第３世代パートナーシップ・プロジェクト２」（３ＧＰＰ２）という名称の組織からの文献に記述されている。本明細書において説明される技術は、上で述べられたワイヤレスネットワークおよび無線技術ならびに他のワイヤレスネットワークおよび無線技術に使用されることができる。明確さのために、本技術のある態様は、以下で、ＬＴＥに関して説明され、ＬＴＥの用語が、以下の記述の多くの部分で使用される。
【００１３】
図１は、ＬＴＥネットワークまたはいくつかの他のワイヤレスネットワークであり得るワイヤレス通信ネットワーク１００を図示する。ワイヤレスネットワーク１００は、いくつかのｅＮＢ（evolved Node B）１１０および他のネットワークエンティティを含むことができる。ｅＮＢは、ＵＥと通信するエンティティであってもよく、基地局、ノードＢ、アクセスポイントなどとも呼ばれることができる。各ｅＮＢは、特定の地理的エリアのための通信カバレッジを提供することができる。３ＧＰＰにおいて、「セル」という用語は、当該用語が使用される文脈に依拠して、このカバレッジエリアにサービスを提供するｅＮＢおよび／またはｅＮＢサブシステムのカバレッジエリアのことをいうことができる。
【００１４】
ｅＮＢは、マクロセル、ピコセル、フェムトセル、および／または他のタイプのセルのための通信カバレッジを提供することができる。マクロセルは、比較的広い地理的エリア（例えば、半径数キロメートル）をカバーすることができ、サービス加入を備えるＵＥによる無制限のアクセスを可能にすることができる。ピコセルは、比較的小さい地理的エリアをカバーすることができ、サービス加入を備えるＵＥによる無制限のアクセスを可能にすることができる。フェムトセルは、比較的小さい地理的エリア（例えば、住居）をカバーすることができ、フェムトセルとの関連を有するＵＥ（例えば、閉ざされた加入者グループ（ＣＳＧ：Closed Subscriber Group）に属するＵＥ）による制限されたアクセスを可能にすることができる。マクロセルのためのｅＮＢは、マクロｅＮＢと呼ばれることができる。ピコセルのためのｅＮＢは、ピコｅＮＢと呼ばれることができる。フェムトセルのためのｅＮＢは、フェムトｅＮＢまたはホームｅＮＢ（ＨｅＮＢ）と呼ばれることができる。図１において図示される事例では、ｅＮＢ１１０ａは、マクロセル１０２ａのためのマクロｅＮＢであることができ、ｅＮＢ１１０ｂは、フェムトセル１０２ｂのためのフェムトｅＮＢであることができ、およびｅＮＢ１１０ｃは、ピコセル１０２ｃのためのピコｅＮＢであることができる。ｅＮＢは、１つまたは複数の（例えば、３個の）セルをサポートすることができる。「ｅＮＢ」および「基地局」という用語は、本明細書において交換的に使用されることができる。
【００１５】
ワイヤレスネットワーク１００はまた、中継局を含むことができる。中継局は、アップストリーム局（例えば、ｅＮＢまたはＵＥ）からデータ送信を受信し、ダウンストリーム局（例えば、ＵＥまたはｅＮＢ）へデータ送信を送信することができるエンティティであり得る。中継局はまた、他のＵＥのための送信を中継することができるＵＥであり得る。図１に図示されている事例において、中継局１１２は、ｅＮＢ１１０ａとＵＥ１２０ｅとの間の通信を容易にするためにマクロｅＮＢ１１０ａおよびＵＥ１２０ｅと通信することができる。中継局は、また、中継ｅＮＢ、中継基地局、中継などと呼ばれることができる。
【００１６】
ワイヤレスネットワーク１００は、異なるタイプ（例えば、マクロｅＮＢ、ピコｅＮＢ、フェムトｅＮＢ、中継ｅＮＢなど）のｅＮＢを含む異種のネットワークであり得る。これらの異なるタイプのｅＮＢは、異なる送信電力レベル、異なるカバレッジエリア、およびワイヤレスネットワーク１００における干渉に対する異なる影響を有し得る。例えば、マクロｅＮＢは、高い送信電力レベル（例えば、５ないし４０ワット）を有し得るのに対し、ピコｅＮＢ、フェムトｅＮＢ、および中継ｅＮＢは、より低い送信電力レベル（例えば、０.１ないし２ワット）を有し得る。
【００１７】
ネットワーク・コントローラ１３０は、１セットのｅＮＢへ結合することができ、これらのｅＮＢに対する調整およびコントロールを提供することができる。ネットワーク・コントローラ１３０は、バックホールを通してｅＮＢと通信することができる。ｅＮＢはまた、例えば、ワイヤレスまたは有線のバックホールを通して直接または間接的に相互に通信することができる。
【００１８】
ＵＥ１２０は、ワイヤレスネットワーク１００の全体にわたって分散されることができ、各ＵＥは、固定または可動であり得る。ＵＥはまた、端末、モバイル局、加入者ユニット、局などと呼ばれることがある。ＵＥはまた、セルラ電話、携帯情報端末（ＰＤＡ）、ワイヤレスモデム、ワイヤレス通信デバイス、ハンドヘルドデバイス、ラップトップコンピュータ、コードレス電話、ワイヤレス・ローカル・ループ（ＷＬＬ）局、スマートフォン、ネットブック、スマートブックなどと呼ばれることがある。ＵＥは、ダウンリンクおよびアップリンクを通してｅＮＢと通信することができる。ダウンリンク（または順方向リンク）は、ｅＮＢからＵＥへの通信リンクのことをいい、アップリンク（または逆方向リンク）は、ＵＥからｅＮＢへの通信リンクのことをいう。
【００１９】
図２は、ＬＴＥにおけるダウンリンクのための典型的なフレーム構造２００を図示する。ダウンリンクに関する送信タイムラインは、無線フレームの単位に分割されることができる。各無線フレームは、所定の持続時間（例えば、１０ミリ妙（ｍｓ））を有することができ、０ないし９のインデックスをともなう１０個のサブフレームに分割されることができる。各サブフレームは、２個のスロットを含む。したがって、各無線フレームは、０ないし１９のインデックスをもつ２０個のスロットを含む。各スロットは、Ｌシンボル期間（例えば、通常のサイクリック・プリフィックスについて７シンボル期間（図２に示されるように）、または拡張されたサイクリック・プリフィックスについて６シンボル期間）を含む。各サブフレームにおける２Ｌシンボル期間は、０ないし２Ｌ−１のインデックスが割り当てられる。
【００２０】
ｅＮＢは、ＵＥのための通信をサポートするためにダウンリンク上で様々なオーバーヘッドチャネルおよび信号を送信することができる。オーバーヘッドチャネルは、システム情報を搬送するブロードキャストチャネルおよび／または他のチャネルを含むことができる。オーバーヘッド信号は、システム／セル獲得のために使用される同期信号、チャネル品質測定およびチャネル推定のために使用される基準信号、および／または他の信号を含み得る。
【００２１】
ＬＴＥでは、ｅＮＢは、ｅＮＢによってサポートされる各セルのためのシステム帯域幅の中心１.０８ＭＨｚにおいてダウンリンク上で１次同期信号（ＰＳＳ：primary synchronization signal）および２次同期信号（ＳＳＳ：secondary synchronization signal）を送信することができる。図２において図示されるように、ＰＳＳおよびＳＳＳは、通常のサイクリック・プリフィックスをともなう各無線フレームのサブフレーム０および５において、シンボル期間６および５内にそれぞれ送信される。ＰＳＳおよびＳＳＳは、セル検索および獲得のためにＵＥによって使用される。ｅＮＢは、ｅＮＢによってサポートされる各セルのためのシステム帯域幅にわたってセル特有の基準信号（ＣＲＳ：cell-specific reference signal）を送信することができる。ＣＲＳは、各サブフレームのあるシンボル期間内に送信され、チャネル推定、チャネル品質測定、および／または他の機能のためにＵＥによって使用される。
【００２２】
ｅＮＢはまた、ある無線フレーム内のサブフレーム０のスロット１においてシンボル期間０ないし３内に物理ブロードキャストチャネル（ＰＢＣＨ：Physical Broadcast Channel）を送信することができる。ＰＢＣＨは、マスター情報ブロック（ＭＩＢ：Master Information Block）のようないくつかのシステム情報を搬送することができる。ｅＮＢは、あるサブフレームにおいて、物理ダウンリンク共有チャネル（ＰＤＳＣＨ：Physical Downlink Shared Channel）上でシステム情報ブロック（ＳＩＢ：System Information Block）のような他のシステム情報を送信することができる。ＭＩＢおよびＳＩＢは、ＵＥがダウンリンク上で送信を受信することおよび／またはアップリンク上で送信を送信することを可能にすることができる。
【００２３】
図３は、通常のサイクリック・プリフィックスをともなうダウンリンクのための２つの典型的なサブフレーム・フォーマット３１０および３２０を図示する。ダウンリンクのための利用可能な時間周波数リソースは、リソースブロックに分割されることができる。各リソースブロックは、１つのスロット内に１２個のサブキャリアをカバーすることができ、いくつかのリソースエレメントを含むことができる。各リソースエレメントは、１シンボル期間内に１つのサブキャリアをカバーすることができ、実数値または複素数値であり得る１つの変調シンボルを送信するために使用されることができる。
【００２４】
サブフレーム・フォーマット３１０は、２個のアンテナを備えるｅＮＢのために使用されることができる。ＣＲＳは、シンボル期間０、４、７、および１１内にアンテナ０および１から送信されることができる。基準信号は、送信機および受信機によって既知の信号であり、また、パイロットとも呼ばれる。ＣＲＳは、例えば、セル・アイデンティティ（ＩＤ）に基づいて生成される、セル特有の基準信号である。図３において、Ｒａとラベル付けされた所与のリソースエレメントの場合、アンテナａからそのリソースエレメント上で変調シンボルが送信されることができ、他のアンテナからそのリソースエレメント上でいずれの変調シンボルも送信されない場合がある。サブフレーム・フォーマット３２０は、４個のアンテナを備えるｅＮＢのために使用されることができる。ＣＲＳは、シンボル期間０、４、７、および１１内にアンテナ０および１から送信され、シンボル期間１および８内にアンテナ２および３から送信されることができる。サブフレーム・フォーマット３１0および３２０の両方について、ＣＲＳに使用されないリソースエレメントは、データおよび／またはコントロール情報を送信するために使用され得る。
【００２５】
ＬＴＥにおけるＰＳＳ、ＳＳＳ、ＣＲＳ、およびＰＢＣＨは、公に利用可能な「Evolved Universal Terrestrial Radio Access(E-UTRA);Physical Channel and Modulation」という名称の３ＧＰＰ  ＴＳ３６.２１１に記述されている。ＭＩＢおよびＳＩＢは、公に利用可能な「Evolved Universal Terrestrial Radio Access (E-UTRA) Radio Resource Control(RRC) Protocol specification」という名称の３ＧＰＰ  ＴＳ３６.３３１に記述されている。
【００２６】
異種ネットワークにおいて、ＵＥ以外のエンティティは、ｅＮＢからのオーバーヘッドチャネルおよび信号を検出することを望み得る。これは、例えば、自己同期化ネットワーク（self-synchronizing network）において、第1のｅＮＢ（例えば、ピコｅＮＢ、フェムトｅＮＢ、または中継ｅＮＢ）が、第2のｅＮＢについての情報を得て、それに応じて、第１のｅＮＢのパラメータを設定するために、第2のｅＮＢ（例えば、マクロｅＮＢ）のオーバーヘッドチャネルおよび信号を検出することを望み得る場合であり得る。しかしながら、第1のｅＮＢは、それ自身のオーバーヘッドチャネルおよび信号を送信する必要があり得る。オーバーヘッドチャネルおよび信号の同時送信および受信は、全てのｅＮＢが、それらのオーバーヘッドチャネルおよび信号をほぼ同時に送信する同期ネットワークにおいて問題であり得る。
【００２７】
ある態様において、ｅＮＢは、他のｅＮＢのオーバーヘッドチャネルおよび信号を検出するために、あるリソース上（例えば、あるサブフレームのあるシンボル期間内）のそのオーバーヘッドチャネルおよび信号をブランクにする（つまり、送信しないまたは送信を回避する）ことができる。他のｅＮＢのオーバーヘッドチャネルおよび信号を検出するまたはモニタするｅＮＢは、追跡ｅＮＢと呼ばれることができる。一般に、追跡ｅＮＢは、マクロｅＮＢ、ピコｅＮＢ、フェムトｅＮＢ、中継ｅＮＢ、またはいくつかの他のエンティティであり得る。ブランキングは、チャネルまたは信号の送信が無いことをいう。
【００２８】
図４は、同期ネットワークにおける2個のｅＮＢ  ＸおよびＹによるオーバーヘッドチャネルおよび信号の送信を図示する。ｅＮＢ  ＸおよびＹ、は、同期ネットワークにおいて類似のフレームタイミングを有することができ、サブフレーム０は、両方のｅＮＢについてほぼ同時に開始することができる。各ｅＮＢは、各無線フレームのサブフレーム０の指定されたシンボル期間内にＰＳＳ、ＳＳＳ、ＰＢＣＨ、およびＣＲＳを送信することができる。各ｅＮＢはまた、各無線フレームのサブフレーム５の指定されたシンボル期間内にＰＳＳ、ＳＳＳ、およびＣＲＳを送信することができる。各ｅＮＢはまた、各無線フレームのサブフレーム１ないし４およびサブフレーム６ないし９の指定されたシンボル期間内にＣＲＳを送信することができる（図４に図示されていない）。
【００２９】
図５は、他のｅＮＢ  Ｘのオーバーヘッドチャネルおよび信号を検出するためにブランキングをともなう、追跡ｅＮＢ  Ｙによるオーバーヘッドチャネルおよび信号の送信を図示する。ｅＮＢ  Ｘは、（例えば、ＬＴＥ標準において定められるように）各オーバーヘッドチャネル／信号（例えば、ＰＳＳ、ＳＳＳ、ＰＢＣＨ、またはＣＲＳ）が送信されることとなる各サブフレームにおいてそのオーバーヘッドチャネル／信号を送信することができる。ｅＮＢ  Ｙは、各オーバーヘッドチャネル／信号が送信されることとなるいくつかのサブフレームにおいてそのオーバーヘッドチャネル／信号を送信し、残りのサブフレームにおいてそのオーバーヘッドチャネル／信号をブランクにすることができる。図５に図示される事例において、ｅＮＢ  Ｙは、サブフレーム０においてＰＳＳ、ＳＳＳ、ＰＢＣＨ、およびＣＲＳを送信し、無線フレームｔのサブフレーム５においてＰＳＳ、ＳＳＳ、およびＣＲＳを送信することができる。ｅＮＢ  Ｙは、無線フレームｔ+１のサブフレーム０および５においてＰＳＳ、ＳＳＳ、ＰＢＣＨ、およびＣＲＳをブランクにすることができ、この無線フレームにおいて他のｅＮＢのＰＳＳ、ＳＳＳ、ＰＢＣＨ、およびＣＲＳを代わりに検出することができる。ｅＮＢ  Ｙは、サブフレーム０においてＰＳＳ、ＳＳＳ、ＰＢＣＨ、およびＣＲＳを再び送信し、無線フレームｔ+２のサブフレーム５においてＰＳＳ、ＳＳＳ、およびＣＲＳを送信する。
【００３０】
一般に、追跡ｅＮＢは、任意の周期でおよび任意の持続時間の間に、そのオーバーヘッドチャネルおよび信号をブランクにすることができる。ブランキングの周期および持続時間は、追跡ｅＮＢによって観察されたチャネル条件、追跡ｅＮＢの可動性、追跡ｅＮＢの運用要求などのような様々な要因に依拠する。例えば、追跡ｅＮＢが静止している場合には、追跡ｅＮＢは他のｅＮＢのオーバーヘッドチャネルおよび信号をより少ない頻度で（例えば、数分ごとに一度）検出するが、追跡ｅＮＢが可動の場合にはより頻繁に検出する。また、チャネル条件が良い場合には、追跡ｅＮＢは、他のｅＮＢのオーバーヘッドチャネルおよび信号をより短い持続時間（例えば、１つのサブフレーム）で検出するが、チャネル条件が悪い場合により長い持続時間で検出する。チャネル条件は、信号対雑音および干渉比（ＳＩＮＲ）および／または他のメトリックによって量子化されることができる。追跡ｅＮＢは、追跡されたｅＮＢのオーバーヘッドチャネルおよび信号がいつ、どこで送信されるかを知り得る。追跡ｅＮＢは、追跡されたｅＮＢのオーバーヘッドチャネルおよび信号のインスタンスのうちのいくつかまたはすべてを追跡すると決定することができる。追跡の周期はまた、追跡ｅＮＢによってサービスされるＵＥに対する予期される衝撃に依拠し得る。例えば、追跡ｅＮＢがいずれのＵＥにもサービスしていない場合、より頻繁に追跡でき、少なくとも１つのＵＥにサービスしている場合、より少ない頻度で追跡する。
【００３１】
ブランキングはまた、優勢な（dominant）干渉シナリオにおいて、ＵＥおよびｅＮＢが他のｅＮＢのオーバーヘッドチャネルおよび信号を検出するよう支援するために使用され得る。ＵＥが１つまたは複数の干渉するｅＮＢから高い干渉を観察し得る、優勢な干渉シナリオにおいて、ＵＥは動作し得る。ＵＥが、より低いパス損失およびより低いＳＩＮＲをともなうｅＮＢに接続するシナリオである優勢な干渉シナリオは、範囲（range）拡張により生じ得る。例えば、図１において、ＵＥ１２０ｃは、マクロｅＮＢ１１０ａおよびピコｅＮＢ１１０ｃから信号を受信し、ｅＮＢ１１０ｃについて、ｅＮＢ１１０ａよりも低い受信電力を得る。それにもかかわらず、ｅＮＢ１１０ｃについてのパス損失がマクロｅＮＢ１１０ａについてのパス損失よりも低い場合、ＵＥ１２０ｃは、ピコｅＮＢ１１０ｃに接続することが望ましい場合がある。これは、ピコｅＮＢ１１０ｃが、マクロｅＮＢ１１０ａと比較してより低い送信電力レベルを有することによる場合であり得る。ＵＥ１２０ｃが、より低いパス損失をともなうピコｅＮＢ１１０ｃへ接続することによって、所与のデータレートを達成するための、より少ない干渉がワイヤレスネットワークにもたらされ得る。
【００３２】
優勢な干渉シナリオはまた、制限された関連により生じ得る。例えば、図１において、ＵＥ１２０ａは、フェムトｅＮＢ１１０ｂに接近している場合があり、ｅＮＢ１１０ｂについて高い受信電力を有し得る。しかしながら、フェムトｅＮＢ１１０ｂは、制限された接続を有する場合があり、ＵＥ１２０ａは、ｅＮＢ１１０ｂに接続することを許可されない場合がある。ＵＥ１２０ａは、その後、より低い受信電力をともなうマクロｅＮＢ１１０ａに接続することができ、フェムトｅＮＢ１１０ｂから高い干渉を観察し得る。
【００３３】
一般に、ＵＥまたはｅＮＢのいずれかが他のｅＮＢのオーバーヘッドチャネルおよび信号を検出するよう試みるとき、優勢な干渉シナリオは、異種のネットワークに在り得る。例えば、ｅＮＢ１１０ａ、１１０ｂ、および１１０ｃがそれらのオーバーヘッドチャネルおよび信号を同時に送信する場合、ＵＥ１２０ａは、干渉するｅＮＢ１１０ｂからの高い干渉により、そのサービングｅＮＢ１１０ａのオーバーヘッドチャネルおよび信号を検出するのが困難になり得る。同様に、ＵＥ１２０ｃは、干渉するｅＮＢ１１０ａからの高い干渉により、そのサービングｅＮＢ１１０ｃのオーバーヘッドチャネルおよび信号を検出するのが困難になり得る。優勢な干渉シナリオは、以下で説明されるように緩和されることができる。
【００３４】
ある設計において、ブランキングは、ブランキングパターンに基づいて実行される。これはまた、再使用パターンとも呼ばれる。この設計において、異なるｅＮＢは、異なるブランキングパターンに基づいてそれらのオーヘッドチャネルおよび信号をブランクにすることができる。これは、優勢な干渉シナリオを緩和することができる。ｅＮＢのためのブランキングパターンは、ｅＮＢがそのオーバーヘッドチャネルおよび信号を送信しないであろう特定のリソース（例えば、特定のサブフレーム）を示すことができる。異なるｅＮＢは、異なるブランキングパターンに基づいて異なる時間にブランクにすることができる。各ｅＮＢのためのブランキングパターンは、ＵＥに事前に知られていてもよいか、または知られていなくてもよい。
【００３５】
異なるｅＮＢのためのブランキングパターンは、様々な方法で定義されることができる。ある設計において、ブランキングパターンは、擬似ランダムに定義されることができる。これは、異なるｅＮＢのオーバーヘッドチャネルおよび信号間の衝突をランダム化することができる。ｅＮＢがそのオーバーヘッドチャネルおよび信号を送信しないであろうサブフレームを，当該ｅＮＢは擬似ランダムに選択することができる。他の設計において、ブランキングパターンは、異なるｅＮＢのオーバーヘッドチャネルおよび信号間の衝突を最小限にするまたは回避するために予め定義されることができる。異なるｅＮＢのためのブランキングパターンはまた、他の方法で定義されることができる。いずれにせよ、ｅＮＢは、そのブランキングパターンに基づいて決定されるサブフレームにおいてそのオーバーヘッドチャネルおよび信号を送信することができる。
【００３６】
異なるｅＮＢについて異なるブランキングパターンを使用することは、優勢な干渉シナリオにおいて、ｅＮＢからのオーバーヘッドチャネルおよび信号の検出を改善することができる。例えば、干渉するｅＮＢ  Ｘがいくつかのサブフレームにおけるそのオーバーヘッドチャネルおよび信号をブランクにする場合、強く干渉するｅＮＢ  Ｘの近傍にあるＵＥは、依然として、他のｅＮＢ  Ｙのオーバーヘッドチャネルおよび信号を検出することができる。
【００３７】
他の設計において、ブランキングは、要求されたとき、求めに応じて実行されることができる。この設計において、ｅＮＢは、他のｅＮＢのオーバーヘッドチャネルおよび信号の検出を可能にするためにそのオーバーヘッドチャネルおよび信号をブランクにするよう、ＵＥまたはいくつかの他のエンティティ（例えば、他のｅＮＢ）によって要求され得る。例えば、ＵＥは、ｅＮＢのカバレッジに移動することができる。これは、ＵＥが接続を禁じられているフェムトｅＮＢであり得る。ＵＥは、いくつかのリソースをブランクにするようｅＮＢに依頼し得るので、ＵＥは、マクロｅＮＢまたはそれ自身のフェムトｅＮＢのいずれかを検出することができる。他の例として、異なるｅＮＢは、疑似ランダムにまたは計画された方法でいくつかのオーバーヘッド信号（例えば、同期信号）をブランクにし得る。ＵＥは、異なる複数のｅＮＢによるブランキングにより、弱いｅＮＢを検出することができる。ＵＥは、その後、強いｅＮＢへそのオーバーヘッドチャネルおよび信号をさらにブランクにするよう要求し得るので、ＵＥは、当該弱いｅＮＢからそのチャネルおよび信号を検出することができる。いずれにせよ、ブランキングの要求は、低層のシグナリングまたは高層のシグナリングを通して送信されることができる。低層のシグナリングは、物理アップリンク制御チャネル（ＰＵＣＣＨ：Physical Uplink Control Channel）、物理ランダムアクセスチャネル（ＰＲＡＣＨ：Physical Random Access Channel）、またはサウンディング基準信号（ＳＲＳ：sounding reference signal）、またはいくつかの他のチャネルまたは信号上で送信されるレイヤ１のシグナリングを備えることができる。高層のシグナリングは、レイヤ３のシグナリング（例えば、無線リソース制御（ＲＲＣ）シグナリング）を備えることができる。
【００３８】
ワイヤレスネットワークは、複数の（Ｋ個の）搬送波上のオペレーションをサポートすることができる。各搬送波は、通信のために使用されることができる周波数の範囲に対応することができる。ブランキングは、複数の搬送波により様々な方法で実行されることができる。
【００３９】
ある設計において、ブランキングは、搬送波にわたって実行されることができる。例えば、ｅＮＢは、常に合計Ｋ個の搬送波のサブセット上でそのオーバーヘッドチャネルおよび信号を送信することができる。その後、ｅＮＢがオーバーヘッドチャネルおよび信号を送信しない各搬送波から干渉が除去されることができる。ｅＮＢは、１つまたは複数の搬送波をブランクにすることができる。これは、擬似ランダムにまたは所定のパターンに基づいて選択されることができる。
【００４０】
他の設計において、各ｅＮＢは、ｅＮＢがそのオーバーヘッドチャネルおよび信号を送信することができるアンカ搬送波を割り当てられることができる。高い干渉を引き起こし得るｅＮＢ（例えば、互いに近くに位置する２個のフェムトｅＮＢ）は、異なるアンカ搬送波を割り当てられる。例えば、ｅＮＢ  Ｘは、ｅＮＢ  ＹによってサービスされるＵＥに対して高い干渉を引き起こす場合があり、ｅＮＢ  Ｙのアンカ搬送波とは異なるアンカ搬送波が割り当てられる。
【００４１】
ｅＮＢは、アンカ搬送波により様々な方法でそれらのオーバーヘッドチャネルおよび信号を送信することができる。第１の設計において、各ｅＮＢは、そのｅＮＢに割り当てられたアンカ搬送波上のみで、かつオーバーヘッドチャネルおよび信号が送信されることとなる各サブフレームにおいて、そのオーバーヘッドチャネルおよび信号を送信することができる。第２の設計において、各ｅＮＢは、そのアンカ搬送波上の（例えば、擬似ランダムにまたはブランキングパターンに基づいて選択されることができるサブフレーム内の）そのオーバーヘッドチャネルおよび信号を、時折ブランクにすることができる。第３の設計において、各ｅＮＢは、（例えば、ブランキングをともなうまたはブランキングをともなわない）そのアンカ搬送波上でそのオーバーヘッドチャネルおよび信号を送信することができ、場合によっては、優勢な干渉（もしあれば）が送信されないであろう１つまたは複数の追加の搬送波上でそのオーバーヘッドチャネルおよび信号を送信することができる。各ｅＮＢはまた、そのオーバーヘッドチャネルおよび信号を他の方法で送信することができる。
【００４２】
上で説明された第２の設計および第３の設計は、ある干渉条件に対処することができ得る。例えば、ＵＥは、ｅＮＢ  Ｘのカバレッジエリアに入ることができ、ｅＮＢ  Ｘのカバレッジエリアにいる間にアイドル状態から脱することができる。ＵＥは、他のｅＮＢ  Ｙからの高い干渉を観察できるｅＮＢ  Ｘにアクセスするよう望み得る。ｅＮＢ  ＸおよびＹは、互いに近くに位置する２個のフェムトｅＮＢであり得る。この場合、ｅＮＢ  Ｘが、干渉するｅＮＢ  Ｙと同じアンカ搬送波を割り当てられると、所望のｅＮＢ  Ｘは、ＵＥによって検出不可能であり得る。このシナリオは、上で説明された第２の設計によって対処されることができる。この場合、ＵＥは、所望のｅＮＢ  Ｘのオーバーヘッドチャネルおよび信号を、アンカ搬送波上で、および干渉するｅＮＢ  Ｙがそのオーバーヘッドチャネルおよび信号をブランクにするサブフレームで、検出することができる。このシナリオはまた、上で説明された第３の設計によって対処されることができる。この場合、ＵＥは、他の搬送波上で所望のｅＮＢ  Ｘのオーバーヘッドチャネルおよび信号を検出することができ得る。両方の設計において、検出に続いて、干渉するｅＮＢのグループ内の全てのｅＮＢは、異なるアンカ搬送波が割り当てられ得る。
【００４３】
他の態様において、ｅＮＢは、追加のリソース上でそのオーバーヘッドチャネルおよび信号を送信することができる。これは、オーバーヘッドチャネルおよび信号がｅＮＢによって通常送信される指定されたリソースとは異なり得る。指定されたリソースは、例えば、マクロｅＮＢに関する標準で定められることができる。追加のリソースは、それらのオーバーヘッドチャネルおよび信号を送信するためにマクロｅＮＢによって通常使用されないリソースであり得る。ある設計において、ｅＮＢは、指定されたリソースおよび追加のリソースの両方のリソース上でそのオーバーヘッドチャネルおよび信号を送信することができる。この設計において、ｅＮＢは、指定されたリソース上で送信されるオーバーヘッドチャネルおよび信号についてブランキングを実行することができるか、または実行することができない。他の設計において、ｅＮＢは、追加のリソース上でのみそのオーバーヘッドチャネルおよび信号を送信することができる。
【００４４】
追加のリソースは、擬似ランダムにまたは所定のパターンで選択され得る。ある設計において、ｅＮＢは、１つまたは複数の追加のサブフレームにおいてそのオーバーヘッドチャネルおよび信号を送信することができる。例えば、ｅＮＢは、指定されたサブフレーム０および５、ならびに追加のサブフレーム１および６においてそのＰＳＳおよびＳＳＳを送信することができる。他の設計において、ｅＮＢは、１つまたは複数の追加のサブバンド上でそのオーバーヘッドチャネルおよび信号を送信することができる。例えば、ｅＮＢは、指定されたセンターサブバンド、ならびに１つまたは複数の追加のサブバンドにおいてそのＰＳＳおよびＳＳＳを送信することができる。これは、センターサブバンドに隣接しているか、またはセンターサブバンドからさらに離れて位置していてもよい。さらに他の設計において、ｅＮＢは、１つまたは複数の追加のリソースブロック上でそのオーバーヘッドチャネルおよび信号を送信することができる。追加のサブフレーム、サブバンド、および／またはリソースブロックは、ＵＥに知られているか、または知られていなくてもよい。
【００４５】
ｅＮＢは、時間のずれ（時間オフセット）をともなってそのオーバーヘッドチャネルおよび信号を送信することができる。ある設計において、ｅＮＢのサブフレームタイミングは、他のｅＮＢ（例えば、マクロｅＮＢ）のサブフレームタイミングからずれる。例えば、ｅＮＢのサブフレーム０は、１サブフレームの時間オフセットのために、他のｅＮＢのサブフレーム１と時間的に整列する。ｅＮＢは、そのサブフレーム０においてそのオーバーヘッドチャネルおよび信号を送信することができる。これは、１つのサブフレーム分早く送信される他のｅＮＢのオーバーヘッドチャネルおよび信号を回避することができる。他の設計において、ｅＮＢのシンボルタイミングは、他のｅＮＢのシンボルタイミングからずれる。例えば、ｅＮＢのシンボル期間０は、６つのシンボル期間の時間オフセットのために、他のｅＮＢのシンボル期間６と時間的に整列する。ｅＮＢは、そのサブフレーム０のシンボル期間５から、そのＰＳＳ、ＳＳＳ、およびＰＢＣＨの送信を開始する。これは、６シンボル期間早く送信される他のｅＮＢのＰＳＳ、ＳＳＳ、およびＰＢＣＨを回避することができる。一般に、ｅＮＢのタイミングは、他のｅＮＢのタイミングからの、１つまたは複数のサブフレームおよび／または１つまたは複数のシンボル期間のオフセットであり得る。
【００４６】
ｅＮＢは、周波数のずれ（周波数オフセット）をともなってそのオーバーヘッドチャネルおよび信号を送信することができる。ある設計において、ｅＮＢの中心周波数は、他のｅＮＢの中心周波数からずれる。ｅＮＢは、その中心周波数上でそのオーバーヘッドチャネルおよび信号を送信することができる。これは、異なる中心周波数上で送信される他のｅＮＢのオーバーヘッドチャネルおよび信号を回避することができる。一般に、これらのｅＮＢのオーバーヘッドチャネルおよび信号に対する高い干渉を回避するために、いくつかのｅＮＢ（例えば、フェムトｅＮＢ）の帯域幅および中心周波数は、他のｅＮＢ（例えば、マクロｅＮＢ）の帯域幅および中心周波数とは異なり得る。
【００４７】
異なるｅＮＢは、時間および／または周波数オフセットの使用により異なる指定されたリソースを有し得る。時間オフセットおよび／または周波数オフセットをともなうオーバーヘッドチャネルおよび信号の送信は、ｅＮＢが追加のリソース上でオーバーヘッドチャネルおよび信号を送信する特別の場合の方法とみなされ得る。例えば、フェムトｅＮＢは、マクロｅＮＢのタイミングから、そのサブフレーム・タイミングオフセットを有し得る。そして、フェムトｅＮＢのための指定されたリソースは、マクロｅＮＢのための追加のリソースに対応することができる。
【００４８】
一般に、異なるｅＮＢは、異なるリソースブロック上でそれらのオーバーヘッドチャネルおよび信号を送信することができる。これは、擬似ランダムにまたは所定のパターンに基づいて選択されることができる。これは、異なるｅＮＢからのオーバーヘッドチャネルおよび信号の直交化を可能にすることができる。
【００４９】
ｅＮＢは、そのオーバーヘッドチャネルおよび信号を時折ブランクにすることができ、すべての指定されたリソース上で（例えば、すべてのサブフレームにおいて）オーバーヘッドチャネルおよび信号を送信しない場合がある。これは、ｅＮＢが、他のｅＮＢのオーバーヘッドチャネルおよび信号を検出するためにチューンアウェイ（tune away）する場合であり得る。ｅＮＢに接続されるＵＥは、当該ｅＮＢがブランクにする場合はいつも当該ｅＮＢからオーバーヘッドチャネルおよび信号を受信しない場合がある。ｅＮＢによるオーバーヘッドチャネルおよび信号のブランキングは、ＵＥの動作に悪影響を及ぼし得る。ブランキングによる悪影響は、様々な方法で緩和することができる。
【００５０】
ある設計において、ｅＮＢは、ｅＮＢがそのオーバーヘッドチャネルおよび信号をブランクにする各サブフレームを、マルチキャスト／ブロードキャスト単一周波数ネットワーク（ＭＢＳＦＮ：multicast/broadcast single frequency network）サブフレームと宣言することができる。ＭＢＳＦＮサブフレームは、ＵＥへマルチキャストおよび／またはブロードキャストデータを送信するために通常使用されるサブフレームである。ＭＢＳＦＮサブフレームは、より少ないシンボル期間（例えば、２個のアンテナについてシンボル期間０のみおよび４個のアンテナについてシンボル期間０および１のみ）内に送信されるＣＲＳを有し得る。各ＭＢＳＦＮサブフレームにおいて、ＵＥは、サブフレームの第１の１つまたは２つのシンボル期間内にＣＲＳを受信することができ、サブフレームの残りの部分を無視することができる。各ＭＢＳＦＮサブフレームにおいて、ｅＮＢは、追跡のために他のｅＮＢのＣＲＳを使用することができ、他のｅＮＢは、ＭＢＳＦＮサブフレームを宣言する必要がない場合がある。
【００５１】
他の設計において、ＵＥは、そのサービングｅＮＢがオーバーヘッドチャネルおよび信号をブランクにするとき、非連続受信（ＤＲＸ：discontinuous reception）モードに置かれ得る。ＵＥは、ＤＲＸモードの間にｅＮＢからのオーバーヘッドチャネルおよび信号を受信することをスキップし、より長い期間の間スリープし得る。
【００５２】
さらに、他の設計において、ｅＮＢがそのＣＲＳをブランクにするサブフレームにおいて（およびできる限り近くにおいて）、ｅＮＢは、データ送信のためにＵＥをスケジュールすることを回避することができる。ＵＥは、ＣＲＳに基づいてチャネル推定を導き出すことができ、チャネル推定の品質を改善するために、サブフレームにわたってチャネル推定を平均化することができる。ＵＥは、ＵＥに送信されるデータ送信の復調のためにチャネル推定を使用することができる。ＣＲＳが送信されないサブフレームにおいて（およびできる限り近くにおいて）、データ送信のためにＵＥをスケジュールしないことによって、ＵＥへのデータ送信に対する悪影響が緩和されることができる。ｅＮＢはまた、ブランキングに先立ってその送信電力レベルを徐々に低くすることができ、その後、大幅なフェード（deep fade）を模倣するためにその送信電力レベルを増加させることができる。
【００５３】
さらに他の設計において、ｅＮＢは、他のｅＮＢから同じオーバーヘッドチャネルおよび信号を検出するために、あるオーバーヘッドチャネルおよび信号をブランクにし得るが、残りのオーバーヘッドチャネルおよび信号を送信し得る。例えば、ｅＮＢは、他のｅＮＢのＰＳＳおよびＳＳＳを検出するために、ＰＳＳおよびＳＳＳをブランクにし得るが、ＣＲＳをそのＵＥへ送信し得る。ｅＮＢは、他のｅＮＢのＰＳＳおよびＳＳＳに基づいて時間同期を達成することができる。ＰＳＳおよびＳＳＳは、図２に図示されるように、各無線フレーム内のスロット０および１０の最後の２つのシンボル期間のみを占有することができ、時間ドメインまたは周波数ドメインにおいてＣＲＳをオーバーラップしない。したがって、ｅＮＢは、ＣＲＳを送信することができ、依然として他のｅＮＢのＰＳＳおよびＳＳＳを検出することができる。
【００５４】
さらに、他の設計において、ｅＮＢがそのオーバーヘッドチャネルおよび信号をブランクにし得るとき、ｅＮＢは、ＵＥに通知することができる。ｅＮＢは、そのブランキングパターンまたはそのオーバーヘッドチャネルおよび信号をブランクにし得るサブフレームを広告することができる。ブランクにされることとなるサブフレームは、明示的にまたは暗黙に（例えば、サブフレーム・インデックスの関数として）示されることができる。ＵＥは、ｅＮＢからのシグナリングを受信することができ、ｅＮＢがオーバーヘッドチャネルおよび信号をブランクにし得るサブフレームに気づいている場合がある。その後、ＵＥは、チャネル推定および／または他の目的のためにこれらのサブフレームを使用することを回避し得る。
【００５５】
さらに、他の態様において、ＵＥは、干渉除去を用いて、ｅＮＢのオーバーヘッドチャネルおよび信号を検出することができる。ＵＥは、１つまたは複数の所望のｅＮＢならびに１つまたは複数の干渉するｅＮＢのオーバーヘッドチャネルおよび信号を備える受信信号を得ることができる。ＵＥは、受信信号をデジタル化し、結果として生じるサンプルを記憶することができる。ＵＥは、所定の各干渉するｅＮＢを検出するためにサンプルを処理することができ、これは、特定の閾値を超える十分に強い受信信号強度を有する。各検出された干渉するｅＮＢについて、ＵＥは、干渉するｅＮＢのオーバーヘッドチャネルおよび信号による干渉を推定することができ、サンプルから、推定された干渉を除去／取り去り、干渉除去されたサンプルを得る。ＵＥは、関心のある各干渉するｅＮＢについて、検出および干渉除去を繰り返すことができる。関心のある全ての干渉するｅＮＢからの干渉を除去した後、ＵＥは、各所望のｅＮＢのオーバーヘッドチャネルおよび信号を検出するために、干渉除去されたサンプルを処理する。ＵＥは、優勢な干渉者による干渉を除去することによって、より弱い所望のｅＮＢのオーバーヘッドチャネルおよび信号を検出することができる。追跡ｅＮＢは、同様の方法で干渉除去を用いて、他のｅＮＢのオーバーヘッドチャネルおよび信号を検出することができる。
【００５６】
図６は、ワイヤレスネットワークにおいてオーバーヘッド送信を送信するためのプロセス６００の設計を図示する。プロセス６００は、局によって実行されることができ、この局は、フェムト基地局／ｅＮＢ、またはピコ基地局／ｅＮＢ、または中継基地局／ｅＮＢ、またはいくつかの他のエンティティであり得る。局は、指定されたリソースの第１のサブセット上で少なくとも１つのオーバーヘッド送信を送信することができる（ブロック６１２）。指定されたリソースは、少なくとも１つのオーバーヘッド送信がマクロ基地局によって送信されるリソースであり得る。指定されたリソースはまた、例えば、マクロ基地局のための標準で定めることができる。少なくとも１つのオーバーヘッド送信は、ＰＳＳ、またはＳＳＳ、またはブロードキャストチャネル、またはＣＲＳ、またはいくつかの他のオーバーヘッド送信、またはこれらの組合わせを備えることができる。局は、指定されたリソースの第２のサブセット上で少なくとも１つのオーバーヘッド送信をブランクにする（つまり、送信しないまたは送信を回避する）（ブロック６１４）。局は、指定されたリソースの第２のサブセット上で少なくとも１つの基地局からの少なくとも１つのオーバーヘッド送信を検出する（ブロック６１６）。
【００５７】
ある設計において、局は、指定されたリソースの第２のサブセットを擬似ランダムに選択する。他の設計において、局は、局に割り当てられたブランキングパターンに基づいて、指定されたリソースの第２のサブセットを決定する。異なる基地局には、異なるブランキングパターンが割り当てられ得る。さらに、他の設計において、局は、少なくともいくつかの指定されたリソース上で少なくとも１つのオーバーヘッド送信をブランクする要求を受信することができる。局は、その後、要求に応答して、指定されたリソースの第２のサブセット上で少なくとも１つのオーバーヘッド送信をブランクにすることができる。
【００５８】
ある設計において、マルチキャリア・オペレーションの場合、局は、複数の搬送波のうちの少なくとも１つの搬送波上で少なくとも１つのオーバーヘッド送信を送信することができる。局は、少なくとも１つの残りの搬送波上で少なくとも１つのオーバーヘッド送信をブランクにすることができる。局は、擬似ランダムにまたは所定のパターンに基づいて少なくとも１つのサブキャリアを選択する。他の設計において、局は、複数の搬送波のうちの他の搬送波上で少なくとも１つのオーバーヘッド送信を送信することができる。隣接基地局には、異なるアンカ搬送波を割り当てられる。局はまた、少なくとも１つの追加の搬送波上で少なくとも１つのオーバーヘッド送信を送信することができる。局は、アンカ搬送波および少なくとも１つの追加の搬送波上でブランキングを行うか、または行わない。
【００５９】
ある設計において、指定されたリソースは、少なくとも１つのオーバーヘッド送信がマクロ基地局によって送信される指定されたサブフレームを備え得る。少なくとも１つのオーバーヘッド送信は、指定されたサブフレームの第１のサブセットにおいて送信され、指定されたサブフレームの第２のサブセットにおいてブランクにされる。ある設計において、局は、少なくとも１つのオーバーヘッド送信がブランクにされる各サブフレームをＭＢＳＦＮサブフレームと宣言する。
【００６０】
ある設計において、局は、指定されたリソースの第２のサブセット上のデータ送信のためにＵＥをスケジュールすることを回避する。他の設計において、局は、指定されたリソースの第２のサブセットをＵＥへ搬送するためにシグナリングをブロードキャストする。さらに、他の設計において、局は、ＰＳＳおよびＳＳＳをブランクにするが、指定されたリソースの第２のサブセット上でＣＲＳを送信する。局はまた、ブランキングによるＵＥに対する悪影響を緩和するために他の動作を行なう。
【００６１】
図７は、ワイヤレスネットワークにおいてオーバーヘッド送信を送信するための装置７００の設計を図示する。装置７００は、少なくとも１つのオーバーヘッド送信がマクロ基地局によって送信される指定されたリソースの第１のサブセット上で該少なくとも１つのオーバーヘッド送信を送信するためのモジュール７１２、指定されたリソースの第２のサブセット上の少なくとも１つのオーバーヘッド送信をブランクにするためのモジュール７１４、および該指定されたリソースの第２のサブセット上で少なくとも１つの基地局からの少なくとも１つのオーバーヘッド送信を検出するためのモジュール７１６を含む。
【００６２】
図８は、ワイヤレスネットワークにおいてオーバーヘッド送信を送信するためのプロセス８００の設計を図示する。プロセス８００は、フェムト基地局／ｅＮＢ、またはピコ基地局／ｅＮＢ、または中継基地局／ｅＮＢ、またはいくつかの他のエンティティであり得る局によって実行されることができる。局は、マクロ基地局によって少なくとも１つのオーバーヘッド送信を送信するために使用されない１セットのリソースを決定する（ブロック８１２）。局は、該１セットのリソース上で少なくとも１つのオーバーヘッド送信を送信する（ブロック８１４）。局はまた、少なくとも１つのオーバーヘッド送信がマクロ基地局によって送信される少なくともいくつかの指定されたリソース上で少なくとも１つのオーバーヘッド送信を送信する。局は、指定されたリソースの少なくとも１つのサブセット上で少なくとも１つの基地局からの少なくとも１つのオーバーヘッド送信を検出する。
【００６３】
ある設計において、１セットのリソースは、擬似ランダムに選択される。他の設計において、１セットのリソースは、所定のパターンに基づいて決定される。さらに、他の設計において、１セットのリソースは、マクロ基地局のサブフレームに関係するサブフレームオフセットに基づいて決定される１セットのサブフレームを備える。さらに、他の設計において、１セットのリソースは、指定されたリソースから周波数においてずれる。１セットのリソースはまた、他の方法で決定されることができる。
【００６４】
図９は、ワイヤレスネットワークにおいてオーバーヘッド送信を送信するための装置９００の設計を図示する。装置９００は、マクロ基地局によって少なくとも１つのオーバーヘッド送信を送信するために使用されない１セットのリソースを決定するためのモジュール９１２、該１セットのリソース上で少なくとも１つのオーバーヘッド送信を送信するためのモジュール９１４、および少なくとも１つのオーバーヘッド送信がマクロ基地局によって送信される指定されたリソースの少なくとも１つのサブセット上で少なくとも１つの基地局からの少なくとも１つのオーバーヘッド送信を検出するためのモジュール９１６を含む。
【００６５】
図１０は、ワイヤレスネットワークにおいてオーバーヘッド送信を受信するためのプロセス１０００の設計を図示する。プロセス１０００は、ＵＥ（以下で説明されるように）、または基地局／ｅＮＢ、またはいくつかの他のエンティティによって実行される。ＵＥは、基地局からの少なくとも１つのオーバーヘッド送信を検出するためのリソースを決定する（ブロック１０１２）。基地局は、ブランキングをともなう指定されたリソース上でおよび／または指定されたリソースとは異なる追加のリソース上で該少なくとも１つのオーバーヘッド送信を送信する。指定されたリソースは、少なくとも１つのオーバーヘッド送信がマクロ基地局によって送信されるリソースである。ＵＥは、決定されたリソース上で基地局からの少なくとも１つの送信を検出する（ブロック１０１４）。
【００６６】
ある設計において、基地局は、擬似ランダムに選択されたまたはブランキングパターンに基づいて決定されたリソース上で少なくとも１つのオーバーヘッド送信をブランクにする。他の設計において、基地局は、擬似ランダムに選択されたまたは所定のパターンに基づいて決定された追加のリソース上で少なくとも１つのオーバーヘッド送信を送信する。ある設計において、ＵＥは、少なくともいくつかの指定されたリソース上で少なくとも１つのオーバーヘッド送信をブランクにする要求を送信する。基地局は、その後、要求に応答して、指定されたリソースの少なくとも１つのサブセット上で少なくとも１つのオーバーヘッド送信をブランクにする。
【００６７】
ある設計において、ＵＥは、少なくとも１つのオーバーヘッド送信が基地局によってブランクにされるサブフレームにおいてＤＲＸモードで動作する。ＵＥは、これらのサブフレームを通してスリープする。
【００６８】
図１１は、ワイヤレスネットワークにおいてオーバーヘッド送信を受信するための装置１１００の設計を図示する。装置１１００は、基地局からの少なくとも１つのオーバーヘッド送信を検出するためのリソースを決定するためのモジュール１１１２であって、該基地局は、ブランキングをともなう指定されたリソースおよび／または該指定されたリソースとは異なる追加のリソース上で少なくとも１つのオーバーヘッド送信を送信するモジュール１１１２、および決定されたリソース上で基地局からの少なくとも１つの送信を検出するためのモジュール１１１４を含む。
【００６９】
図１２は、干渉除去を用いてオーバーヘッド送信を受信するためのプロセス１２００の設計を図示する。プロセス１２００は、（以下で説明されるように）ＵＥ、または基地局／ｅＮＢ、またはいくつかの他のエンティティによって実行されることができる。ＵＥは、複数の基地局から少なくとも１つのオーバーヘッド送信を備える受信信号を得る（ブロック１２１２）。少なくとも１つのオーバーヘッド送信は、同期信号、またはブロードキャストチャネル、またはいくつかの他のオーバーヘッド送信、またはこれらの組合わせを備える。複数の基地局は、少なくとも１つの干渉する基地局および少なくとも１つの所望の基地局を含む。局は、各干渉する基地局に関する受信信号の強度および／またはいくつかの他の測定に基づいて少なくとも１つの干渉する基地局を識別する。ＵＥは、少なくとも１つの干渉する基地局からの少なくとも１つのオーバーヘッド送信による干渉を推定する（ブロック１２１４）。ＵＥは、干渉除去された信号を得るために、受信信号から、推定された干渉を除去する（ブロック１２１６）。ＵＥは、干渉除去された信号に基づいて少なくとも１つの所望の基地局からの少なくとも１つのオーバーヘッド送信を検出する（ブロック１２１８）。
【００７０】
ある設計において、ＵＥは、１つの干渉する基地局からの少なくとも１つのオーバーヘッド送信による干渉を同時に推定および除去する。干渉する基地局ごとに、ＵＥは、その干渉する基地局からの少なくとも１つのオーバーヘッド送信を検出し、その後、少なくとも１つのオーバーヘッド送信による干渉を除去する。ＵＥはまた、全ての干渉する基地局に関する干渉を１ラウンドで、または干渉する基地局の１つのグループに関する干渉をラウンドごとに推定および除去する。
【００７１】
図１３は、干渉除去をともなうオーバーヘッド送信を受信するための装置１３００の設計を図示する。装置１３００は、複数の基地局からの少なくとも１つのオーバーヘッド送信を備える受信信号を得るためのモジュール１３１２と、該少なくとも１つのオーバーヘッド送信は、同期信号および／またはブロードキャストチャネルを備え、少なくとも１つの干渉する基地局からの少なくとも１つのオーバーヘッド送信による干渉を推定するためのモジュール１３１４と、干渉除去された信号を得るために、受信信号から、推定された干渉を除去するためのモジュール１３１６と、干渉除去された信号に基づいて少なくとも１つの所望の基地局からの少なくとも１つのオーバーヘッド送信を検出するためのモジュール１３１８と、を含む。
【００７２】
図７、９、１１、および１３におけるモジュールは、プロセッサ、電気デバイス、ハードウェアデバイス、電気コンポーネント、論理回路、メモリ、ソフトウェアコード、ファームウェアコードなど、またはこれらのものの任意の組合わせを備えることができる。
【００７３】
図１４は、基地局／ｅＮＢ１１０およびＵＥ１２０の設計のブロック図を図示する。これは、図１における基地局／ｅＮＢのうちの１つおよびＵＥのうちの１つであり得る。基地局１１０は、Ｔ個のアンテナ１４３４ａないし１４３４ｔを備え、ＵＥ１２０は、Ｒ個のアンテナ１４５２ａないし１４５２ｒを備える。なお、一般に、Ｔ≧１およびＲ≧１である。
【００７４】
基地局１１０において、送信プロセッサ１４２０は、１つまたは複数のＵＥのためにデータソース１４１２からデータを受信し、当該ＵＥについて選択された１つまたは複数の変調およびコーディング方式に基づいて各ＵＥのためのデータを処理（例えば、符号化および変調）し、すべてのＵＥのためにデータシンボルを提供する。送信プロセッサ１４２０はまた、（例えば、ＰＢＣＨに関する）コントロール情報およびオーバーヘッド情報を処理し、コントロールシンボルおよびオーバーヘッドシンボルを提供する。プロセッサ１４２０はまた、同期信号（例えば、ＰＳＳおよびＳＳＳ）および基準信号（例えば、ＣＲＳ）のための基準シンボルを生成する。送信（ＴＸ）多入力多出力（ＭＩＭＯ）プロセッサ１４３０は、適用可能であれば、データシンボル、コントロールシンボル、オーバーヘッドシンボル、および／または基準シンボル上で空間処理（例えば、プリコーディング）を実行し、Ｔ個の出力シンボルストリームをＴ個の変調器（ＭＯＤ）１４３２ａないし１４３２ｔへ提供する。各変調器１４３２は、それぞれの出力シンボルストリームを（例えば、ＯＦＤＭなどのために）処理して、出力サンプルストリームを得る。各変調器１４３２は、出力サンプルストリームをさらに処理（例えば、アナログ変換、増幅、フィルタ、およびアップコンバート）し、ダウンリンク信号を得る。変調器１４３２ａないし１４３２ｔからのＴ個のダウンリンク信号は、Ｔ個のアンテナ１４３４ａないし１４３４ｔを通してそれぞれ送信される。
【００７５】
ＵＥ１２０において、アンテナ１４５２ａないし１４５２ｒは、基地局１１０および／または他の基地局からダウンリンク信号を受信して、復調器（ＤＥＭＯＤ）１４５４ａないし１４５４ｒへ受信信号をそれぞれ提供する。各復調器１４５４は、その受信信号を調整（例えば、フィルタ、増幅、ダウンコンバート、およびデジタル化）して、入力サンプルを得る。各復調器１４５４は、入力サンプルを（例えば、ＯＦＤＭなどのために）さらに処理して、受信シンボルを得る。ＭＩＭＯ検出器１４５６は、Ｒ個の全ての復調器１４５４ａないし１４５４ｒから受信シンボルを得、適用可能であれば、受信シンボル上でＭＩＭＯ検出を実行し、検出されたシンボルを提供する。受信プロセッサ１４５８は、検出されたシンボルを処理（例えば、復調および復号）し、データシンク１４６０へＵＥ１２０に関する復号されたデータを提供し、コントローラ／プロセッサ１４８０へ復号されたコントロール情報およびオーバーヘッド情報を提供する。
【００７６】
アップリンク上では、ＵＥ１２０において、送信プロセッサ１４６４が、データソース１４６２からのデータを受信および処理し、コントローラ／プロセッサ１４８０からの情報をコントロールする。プロセッサ１４６４はまた、１つまたは複数の基準信号に関する基準シンボルを生成する。送信プロセッサ１４６４からのシンボルは、適用可能であれば、ＴＸ  ＭＩＭＯプロセッサ１４６６によってプリコードされ、変調器１４５４ａないし１４５４ｒによって（例えば、ＳＣ−ＦＤＭ、ＯＦＤＭなどのために）さらに処理され、基地局１１０へ送信される。基地局１１０において、ＵＥ１２０および他のＵＥからのアップリンク信号は、アンテナ１４３４によって受信され、復調器１４３２によって処理され、適用可能であればＭＩＭＯ検出器１４３６によって検出され、受信プロセッサ１４３８によってさらに処理され、もって、ＵＥ１２０によって送信された復号されたデータおよびコントロール情報を得ることができる。プロセッサ１４３８は、データシンク１４３９へ、復号されたデータを提供し、コントローラ／プロセッサ１４４０へ、復号されたコントロール情報を提供する。
【００７７】
コントローラ／プロセッサ１４４０および１４８０は、基地局１１０およびＵＥ１２０におけるオペレーションをそれぞれ指示する。基地局１１０におけるプロセッサ１４４０および／または他のプロセッサおよびモジュールは、図６におけるプロセス６００、図８におけるプロセス８００、図１０におけるプロセス１０００、図１２におけるプロセス１２００、および／または本明細書において説明された技術に関する他のプロセスを実行するまたは指示することができる。ＵＥ１２０におけるプロセッサ１４８０および／または他のプロセッサおよびモジュールは、図１０におけるプロセス１０００、図１２におけるプロセス１２００、および／または本明細書において説明された技術に関する他のプロセスを実行または指示することができる。メモリ１４４２および１４８２は、基地局１１０およびＵＥ１２０に関するデータおよびプログラムコードをそれぞれ記憶することができる。スケジューラ１４４４は、ダウンリンクおよび／またはアップリンク上のデータ送信のためにＵＥをスケジュールすることができる。
【００７８】
当業者であれば、情報および信号は、さまざまな異なる技術および技法のうちのいずれかを使用して表されることができることを理解するだろう。例えば、上記の説明の全体にわたって言及されたデータ、命令、コマンド、情報、信号、ビット、シンボル、およびチップは、電圧、回路、電磁波、磁場または磁粒子、光波動場または光粒子、またはこれらのものの任意の組み合わせによって表されることができる。
【００７９】
当業者は、本明細書における開示に関して説明された様々な例示的な論理ブロック、モジュール、回路、およびアルゴリズムステップは、電子的ハードウェア、コンピュータソフトウェア、または両方の組み合わせとして実装されることができることをさらに認識するだろう。ハードウェアおよびソフトウェアのこの互換性を明白に例示するために、様々な例示的なコンポーネント、ブロック、モジュール、回路、およびステップは、それらの機能性の観点から一般に上で説明されている。そのような機能性がハードウェアまたはソフトウェアとして実装されるかどうかは、全体のシステム上で課される特定のアプリケーションおよび設計の制約に依存する。当業者は、各々の特定のアプリケーションについて様々な方法で、説明された機能性を実装することができるが、そのような実装決定は、本開示の範囲から逸脱していると解釈されるべきではない。
【００８０】
本明細書における開示に関して説明された様々な例示的な論理ブロック、モジュール、および回路は、汎用目的プロセッサ、デジタル信号プロセッサ（DSP）、特定用途集積回路（ASIC）、フィールドプログラマブルゲートアレイ（FPGA）または他のプログラマブル論理デバイス（PLD）、離散ゲートまたはトランジスタ論理、離散ハードウェア・コンポーネント、またはこれらのものの任意の組み合わせであって、本明細書に記載の機能を実行するように設計されたものによって実装または実行されることができる。汎用目的プロセッサは、マイクロプロセッサであってもよいが、その代わりに、任意の従来のプロセッサ、コントローラ、マイクロコントローラ、または状態機械であってもよい。プロセッサはまた、コンピュータ計算デバイスの組み合わせ（例えば、DSPとマイクロプロセッサとの組み合わせ、複数のマイクロプロセッサ、DSPコアと結合した１つまたは複数のマイクロプロセッサ、または任意の他のそのような構成）として実装されることができる。
【００８１】
本明細書における開示に関して説明された方法またはアルゴリズムのステップは、ハードウェア、プロセッサによって実行されるソフトウェアモジュール、またはその２つの組み合わせにおいて直接具体化されることができる。ソフトウェアモジュールは、ＲＡＭメモリ、フラッシュメモリ、ＲＯＭメモリ、ＥＰＲOMメモリ、ＥＥＰＲＯＭメモリ、レジスタ、ハードディスク、リムーバルディスク、ＣＤ−ＲＯＭ、または当該技術分野において既知の記憶媒体の任意の他の形式に存在してもよい。典型的な記憶媒体は、プロセッサが記憶媒体から情報を読み出す、または記憶媒体に情報を書き込むことができるように、プロセッサに結合されていてもよい。その代わりに、記憶媒体は、プロセッサと一体化されていてもよい。プロセッサおよび記憶媒体は、ＡＳＩＣに存在してもよい。ＡＳＩＣは、ユーザ端末に存在してもよい。代替的に、プロセッサおよび記憶媒体は、ユーザ端末内の離散コンポーネントとして存在してもよい。
【００８２】
１つまたは複数の典型的な設計において、説明された機能は、ハードウェア、ソフトウェア、ファームウェア、またはそれらのものの任意の組み合わせにおいて実装されることができる。ソフトウェアにおいて実装される場合、当該機能は、１つまたは複数の命令またはコードとしてコンピュータ可読媒体上に記憶されるか、またはコンピュータ可読媒体上で送信されることができる。コンピュータ可読媒体は、ある場所から他の場所へのコンピュータ・プログラムの転送を容易にする任意の媒体を含むコンピュータ記憶媒体および通信媒体の両方を含む。記憶媒体は、汎用目的コンピュータまたは特殊目的コンピュータによってアクセスされることができる任意の利用可能な媒体であってもよい。事例として、かつ非制限的例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは、任意の他の媒体であって、命令またはデータ構成の形式において所望のプログラムコード手段を搬送または記憶するために使用可能で、かつ汎用目的コンピュータまたは特殊目的コンピュータ、または汎用目的プロセッサまたは特殊目的プロセッサによってアクセス可能な媒体を備えることができる。さらに、いかなる接続もコンピュータ可読媒体と適切に呼ばれる。例えば、もしソフトウェアがウェブサイト、サーバ、または他の遠くの情報源から、同軸ケーブル、光ファイバケーブル、ツイストペアケーブル、デジタル加入者線(ＤＳＬ)またはワイヤレス技術（例えば、赤外線、無線およびマイクロ波など）を使用して送信されるのであれば、そうした同軸ケーブル、光ファイバケーブル、ツイストペアケーブル、ＤＳＬまたはワイヤレス技術（例えば、赤外線、無線およびマイクロ波など)もまた、送信媒体の定義に含まれる。本明細書において使用されるように、ディスク（disk and disc）は、コンパクトディスク（ＣＤ）、レーザーディスク（登録商標）、光ディスク、デジタルバーサタイルディスク(ＤＶＤ)、フロッピー（登録商標）ディスクおよびブルーレイ(登録商標)ディスクを含む。ここで、diskは、通常、データを磁気的に再生するものをいい、discは、レーザを用いてデータを光学的に再生するものをいう。上記のものの組み合わせはまた、コンピュータ可読媒体の範囲内に含まれるべきである。
【００８３】
本開示の以前の説明は、当該技術分野の技術者の誰もが本開示を作るまたは使用することができるように提供される。本開示に対する様々な修正は、当該技術分野の技術者に直ちに明確となり、本明細書において定義された一般原則は、本開示の要旨または範囲から逸脱することなく他のバリエーションに適用されることができる。したがって、本開示は、本明細書において説明された事例および設計に制限されるよう意図されないが、本明細書において開示された原則および新規の特徴と一致する最も広い範囲を与えられる。
以下に、本願出願の当初の特許請求の範囲に記載された発明を付記する。
［１］ワイヤレス通信のための方法であって、
少なくとも１つのオーバーヘッド送信がマクロ基地局によって送信される指定されたリソースの第１のサブセット上で前記少なくとも１つのオーバーヘッド送信を送信することと、
前記指定されたリソースの第２のサブセット上で前記少なくとも１つのオーバーヘッド送信をブランクにすることと、を備える方法。
［２］前記指定されたリソースの前記第２のサブセット上で少なくとも１つの基地局からの前記少なくとも１つのオーバーヘッド送信を検出すること、をさらに備える［１］に記載の方法。
［３］前記少なくとも１つのオーバーヘッド送信は、１次同期信号（ＰＳＳ）、または２次同期信号（ＳＳＳ）、またはブロードキャストチャネル、またはセル特有の基準信号（ＣＲＳ）、またはこれらの組合わせを含む、［１］に記載の方法。
［４］前記指定されたリソースの前記第２のサブセットを擬似ランダムに選択すること、または、ブランキングパターンに基づいて前記指定されたリソースの前記第２のサブセットを決定すること、をさらに備える［１］に記載の方法。
［５］前記指定されたリソースのうちの少なくともいくつかで前記少なくとも１つのオーバーヘッド送信をブランクにする要求を受信することをさらに備え、前記少なくとも１つのオーバーヘッド送信は、前記要求に応答して、前記指定されたリソースの前記第２のサブセット上で送信されない、［１］に記載の方法。
［６］複数の搬送波のうちの少なくとも１つの搬送波上で前記少なくとも１つのオーバーヘッド送信を送信することと、
前記複数の搬送波のうちの少なくとも１つの残りの搬送波上で前記少なくとも１つのオーバーヘッド送信をブランクにすることと、
をさらに備える［１］に記載の方法。
［７］複数の搬送波のうちのアンカ搬送波上で前記少なくとも１つのオーバーヘッド送信を送信することをさらに備え、少なくとも１つの隣接基地局は、少なくとも１つの異なるアンカ搬送波に割り当てられる、［１］に記載の方法。
［８］前記複数の搬送波のうちの少なくとも１つの追加の搬送波上で前記少なくとも１つのオーバーヘッド送信を送信すること、をさらに備える［７］に記載の方法。
［９］前記指定されたリソースは、前記少なくとも１つのオーバーヘッド送信が前記マクロ基地局によって送信される指定されたサブフレームを含み、前記少なくとも１つのオーバーヘッド送信は、前記指定されたサブフレームの第１のサブセットにおいて送信され、前記指定されたサブフレームの第２のサブセットにおいて送信されない、［１］に記載の方法。
［１０］前記少なくとも１つのオーバーヘッド送信が送信されない各サブフレームをマルチキャスト／ブロードキャスト単一周波数ネットワーク（ＭＢＳＦＮ）サブフレームと宣言すること、をさらに備える［９］に記載の方法。
［１１］前記少なくとも１つのオーバーヘッド送信は、１次同期信号（ＰＳＳ）および２次同期信号（ＳＳＳ）を含み、前記方法は、
前記指定されたリソースの前記第２のサブセット上でセル特有の基準信号（ＣＲＳ）を送信すること、
をさらに備える［１］に記載の方法。
［１２］前記指定されたリソースの前記第２のサブセット上でのデータ送信のためにユーザ装置（ＵＥ）をスケジュールしないこと、をさらに備える［１］に記載の方法。
［１３］前記指定されたリソースの前記第２のサブセットを搬送するためにシグナリングを送信すること、をさらに備える［１］に記載の方法。
［１４］ワイヤレス通信のための装置であって、
少なくとも１つのオーバーヘッド送信がマクロ基地局によって送信される指定されたリソースの第１のサブセット上で前記少なくとも１つのオーバーヘッド送信を送信する手段と、
前記指定されたリソースの第２のサブセット上で前記少なくとも１つのオーバーヘッド送信をブランクにする手段と、を備える装置。
［１５］前記指定されたリソースの前記第２のサブセット上で少なくとも１つの基地局からの前記少なくとも１つのオーバーヘッド送信を検出する手段、をさらに備える［１４］に記載の装置。
［１６］前記指定されたリソースの前記第２のサブセットを擬ランダムに選択する、またはブランキングパターンに基づいて前記指定されたリソースの前記第２のサブセットを決定する手段、をさらに備える［１４］に記載の装置。
［１７］複数の搬送波のうちの少なくとも１つの搬送波上で前記少なくとも１つのオーバーヘッド送信を送信する手段と、
前記複数の搬送波のうちの少なくとも１つの残りの搬送波上で前記少なくとも１つのオーバーヘッド送信をブランクにする手段と、
をさらに備える［１４］に記載の装置。
［１８］ワイヤレス通信のための装置であって、
少なくとも１つのオーバーヘッド送信がマクロ基地局によって送信される指定されたリソースの第１のサブセット上で前記少なくとも１つのオーバーヘッド送信を送信し、前記指定されたリソースの第２のサブセット上で前記少なくとも１つのオーバーヘッド送信をブランクにするように構成される少なくとも１つのプロセッサを備える装置。
［１９］前記少なくとも１つのプロセッサは、さらに、前記指定されたリソースの前記第２のサブセット上で少なくとも１つの基地局からの前記少なくとも１つのオーバーヘッド送信を検出するように構成される、［１８］に記載の装置。
［２０］前記少なくとも１つのプロセッサは、さらに、前記指定されたリソースの前記第２のサブセットを擬似ランダムに選択するか、またはブランキングパターンに基づいて、前記指定されたリソースの前記第２のサブセットを決定するように構成される、［１８］に記載の装置。
［２１］前記少なくとも１つのプロセッサは、さらに、複数の搬送波のうちの少なくとも１つの搬送波上で前記少なくとも１つのオーバーヘッド送信を送信し、前記複数の搬送波のうちの少なくとも１つの残りの搬送波上で前記少なくとも１つのオーバーヘッド送信をブランクにするように構成される、［１８］に記載の装置。
［２２］少なくとも１つのコンピュータに、少なくとも１つのオーバーヘッド送信がマクロ基地局によって送信される指定されたリソースの第１のサブセット上で前記少なくとも１つのオーバーヘッド送信を送信させるためのコードと、
前記少なくとも１つのコンピュータに、前記指定されたリソースの第２のサブセット上で前記少なくとも１つのオーバーヘッド送信をブランクにさせるためのコードと、
を含むコンピュータ可読媒体を備えるコンピュータプログラム製品。
［２３］ワイヤレス通信のための方法であって、
マクロ基地局によって少なくとも１つのオーバーヘッド送信を送信するために使用されない１セットのリソースを決定することと、
前記１セットのリソース上で前記少なくとも１つのオーバーヘッド送信を送信すること、を備える方法。
［２４］前記少なくとも１つのオーバーヘッド送信が前記マクロ基地局によって送信される指定されたリソースの少なくとも１つのサブセット上で前記少なくとも１つのオーバーヘッド送信を送信すること、をさらに備える［２３］に記載の方法。
［２５］前記少なくとも１つのオーバーヘッド送信が前記マクロ基地局によって送信される指定されたリソースの少なくとも１つのサブセット上で少なくとも１つの基地局からの前記少なくとも１つのオーバーヘッド送信を検出すること、をさらに備える［２３］に記載の方法。
［２６］前記１セットのリソースは、擬似ランダムに選択されるか、または所定のパターンに基づいて決定される、［２３］に記載の方法。
［２７］前記１セットのリソースは、前記マクロ基地局のサブフレームに関係するサブフレームオフセットに基づいて決定される１セットのサブフレームを含む、［２３］に記載の方法。
［２８］前記１セットのリソースは、前記少なくとも１つのオーバーヘッド送信が前記マクロ基地局によって送信される指定されたリソースから周波数においてずれている、［２３］に記載の方法。
［２９］ワイヤレス通信のための装置であって、
マクロ基地局によって少なくとも１つのオーバーヘッド送信を送信するために使用されない１セットのリソースを決定する手段と、
前記１セットのリソース上で前記少なくとも１つのオーバーヘッド送信を送信する手段と、を備える装置。
［３０］前記少なくとも１つのオーバーヘッド送信が前記マクロ基地局によって送信される指定されたリソースの少なくとも１つのサブセット上で前記少なくとも１つのオーバーヘッド送信を送信するための手段、をさらに備える［２９］に記載の装置。
［３１］前記少なくとも１つのオーバーヘッド送信が前記マクロ基地局によって送信される指定されたリソースの少なくとも１つのサブセット上で少なくとも１つの基地局からの前記少なくとも１つのオーバーヘッド送信を検出する手段、をさらに備える［２９］に記載の装置。
［３２］ワイヤレス通信のための装置であって、
マクロ基地局によって少なくとも１つのオーバーヘッド送信を送信するために使用されない１セットのリソースを決定し、前記１セットのリソース上で前記少なくとも１つのオーバーヘッド送信を送信するように構成される少なくとも１つのプロセッサを備える装置。
［３３］少なくとも１つのコンピュータに、マクロ基地局によって少なくとも１つのオーバーヘッド送信を送信するために使用されない１セットのリソースを決定させるためのコードと、
前記少なくとも１つのオンピュータに、前記１セットのリソース上で前記少なくとも１つのオーバーヘッド送信を送信させるためのコードと、
を含むコンピュータ可読媒体を備えるコンピュータプログラム製品。
［３４］ワイヤレス通信のための方法であって、
基地局からの少なくとも１つのオーバーヘッド送信を検出するためのリソースを決定することと、前記基地局は、ブランキングをともなって指定されたリソース上で、または前記指定されたリソースと異なる追加のリソース上で、または両方のリソース上で前記少なくとも１つのオーバーヘッド送信を送信し、前記指定されたリソースは、前記少なくとも１つのオーバーヘッド送信がマクロ基地局によって送信されるリソースである、
前記決定されたリソース上で前記基地局からの前記少なくとも１つの送信を検出することと、を備える方法。
［３５］前記基地局は、擬似ランダムに選択されるかまたはブランキングパターンに基づいて決定されるリソース上で前記少なくとも１つのオーバーヘッド送信をブランクにする、［３４］に記載の方法。
［３６］前記基地局は、擬似ランダムに選択されるかまたは所定のパターンに基づいて決定される前記追加のリソース上で前記少なくとも１つのオーバーヘッド送信を送信する、［３４］に記載の方法。
［３７］前記指定されたリソースのうちの少なくともいくつかのリソース上で前記少なくとも１つのオーバーヘッド送信をブランクにする要求を送信することをさらに備え、前記少なくとも１つのオーバーヘッド送信は、前記要求に応答して、前記指定されたリソースの少なくとも１つのサブセット上で前記基地局によって送信されない、［３４］に記載の方法。
［３８］前記少なくとも１つのオーバーヘッド送信が前記基地局によって送信されないサブフレームにおいて非連続受信（ＤＲＸ）モードで動作すること、をさらに備える［３４］に記載の方法。
［３９］ワイヤレス通信のための装置であって、
基地局からの少なくとも１つのオーバーヘッド送信を検出するリソースを決定する手段と、前記基地局は、ブランキングをともなって指定されたリソース上で、または前記指定されたリソースとは異なる追加のリソース上で、またはその両方のリソース上で、前記少なくとも１つのオーバーヘッド送信を送信し、前記指定されたリソースは、前記少なくとも１つのオーバーヘッド送信がマクロ基地局によって送信されるリソースである、
前記決定されたリソース上で前記基地局からの前記少なくとも１つの送信を検出する手段と、を備える装置。
［４０］前記基地局は、擬似ランダムに選択されるかまたはブランキングパターンに基づいて決定されるリソース上で、前記少なくとも１つのオーバーヘッド送信をブランクにする、［３９］に記載の装置。
［４１］前記指定されたリソースのうちの少なくともいくつかのリソース上で前記少なくとも１つのオーバーヘッド送信をブランクにする要求を送信するための手段をさらに備え、前記少なくとも１つのオーバーヘッド送信は、前記要求に応答して、前記指定されたリソースの少なくとも１つのサブセット上で前記基地局によって送信されない、［３９］に記載の装置。
［４２］ワイヤレス通信のための装置であって、
基地局からの少なくとも１つのオーバーヘッド送信を検出するためのリソースを決定し、前記決定されたリソース上で前記基地局からの前記少なくとも１つの送信を検出するように構成される少なくとも１つのプロセッサを備え、
前記基地局は、ブランキングをともなって指定されたリソース上で、または前記指定されたリソースとは異なる追加のリソース上で、または両方のリソース上で、前記少なくとも１つのオーバーヘッド送信を送信し、
前記指定されたリソースは、前記少なくとも１つのオーバーヘッド送信がマクロ基地局によって送信されるリソースである、装置。
［４３］少なくとも１つのコンピュータに、基地局からの少なくとも１つのオーバーヘッド送信を検出するためのリソースを決定させるためのコードと、前記基地局は、ブランキングをともなって指定されたリソース上で、または前記指定されたリソースとは異なる追加のリソース上で、または両方のリソース上で、前記少なくとも１つのオーバーヘッド送信を送信し、前記指定されたリソースは、前記少なくとも１つのオーバーヘッド送信がマクロ基地局によって送信されるリソースである、
前記少なくとも１つのコンピュータに、前記決定されたリソース上で前記基地局からの前記少なくとも１つの送信を検出させるためのコードと、
を含むコンピュータ可読媒体を備えるコンピュータプログラム製品。
［４４］ワイヤレス通信のための方法であって、
複数の基地局からの少なくとも１つのオーバーヘッド送信を備える受信信号を得ることと、前記少なくとも１つのオーバーヘッド送信は、同期信号、またはブロードキャストチャネル、またはその両方を備え、前記複数の基地局は、少なくとも１つの干渉する基地局および少なくとも１つの所望の基地局を備える、
前記少なくとも１つの干渉する基地局からの前記少なくとも１つのオーバーヘッド送信による干渉を推定することと、
干渉除去された信号を得るために、前記受信信号から前記推定された干渉を除去することと、
前記干渉除去された信号に基づいて前記少なくとも１つの所望の基地局からの前記少なくとも１つのオーバーヘッド送信を検出することと、を備える方法。
［４５］前記少なくとも１つの干渉する基地局からの前記少なくとも１つのオーバーヘッド送信による前記干渉は、１つの干渉する基地局について、同時に推定および除去される、［４４］に記載の方法。
［４６］前記干渉を推定することは、干渉する基地局ごとに、
前記干渉する基地局からの前記少なくとも１つのオーバーヘッド送信を検出することと、
前記干渉する基地局について検出された前記少なくとも１つのオーバーヘッド送信に基づいて前記干渉する基地局から前記少なくとも１つのオーバーヘッド送信による干渉を推定することと、
を備える［４４］に記載の方法。
［４７］各干渉する基地局の受信信号の強度に基づいて前記少なくとも１つの干渉する基地局を識別すること、をさらに備える［４４］に記載の方法。
［４８］ワイヤレス通信のための装置であって、
複数の基地局からの少なくとも１つのオーバーヘッド送信を含む受信信号を得る手段と、前記少なくとも１つのオーバーヘッド送信は、同期信号、またはブロードキャストチャネル、またはその両方を含み、前記複数の基地局は、少なくとも１つの干渉する基地局および少なくとも１つの所望の基地局を含む、
前記少なくとも１つの干渉する基地局からの前記少なくとも１つのオーバーヘッド送信による干渉を推定する手段と、
干渉除去された信号を得るために、前記受信信号から前記推定された干渉を除去する手段と、
前記干渉除去された信号に基づいて前記少なくとも１つの所望の基地局からの前記少なくとも１つのオーバーヘッド送信を検出するための手段と、を備える装置。
［４９］前記干渉を推定する手段は、干渉する基地局ごとに、
前記干渉する基地局からの前記少なくとも１つのオーバーヘッド送信を検出する手段と、
前記干渉する基地局について検出された前記少なくとも１つのオーバーヘッド送信に基づいて前記干渉する基地局からの前記少なくとも１つのオーバーヘッド送信による干渉を推定する手段と、
を備える［４８］に記載の装置。
［５０］ワイヤレス通信のための装置であって、
複数の基地局からの少なくとも１つのオーバーヘッド送信を含む受信信号を取得し、前記少なくとも１つのオーバーヘッド送信は、同期信号、またはブロードキャストチャネル、またはその両方を含み、前記複数の基地局は、前記少なくとも１つの干渉する基地局からの前記少なくとも１つのオーバーヘッド送信による干渉を推定するために、少なくとも１つの干渉する基地局および少なくとも１つの所望の基地局を含み、
干渉除去された信号を得るために、前記受信信号から、前記推定された干渉を除去し、前記干渉除去された信号に基づいて前記少なくとも１つの所望の基地局からの前記少なくとも１つのオーバーヘッド送信を検出する、
少なくとも１つのプロセッサを備える装置。
［５１］少なくとも１つのコンピュータに、複数の基地局からの少なくとも１つのオーバーヘッド送信を含む受信信号を取得させるためのコードと、前記少なくとも１つのオーバーヘッド送信は、同期信号、またはブロードキャストチャネル、またはその両方を含み、前記複数の基地局は、少なくとも１つの干渉する基地局および少なくとも１つの所望の基地局を含み、
前記少なくとも１つのコンピュータに、前記少なくとも１つの干渉する基地局から前記少なくとも１つのオーバーヘッド送信による干渉を推定させるためのコードと、
前記少なくとも１つのコンピュータに、干渉除去された信号を取得するために、前記受信信号から、前記推定された干渉を除去させるためのコードと、
前記少なくとも１つのコンピュータに、前記干渉除去された信号に基づいて前記少なくとも１つの所望の基地局からの前記少なくとも１つのオーバーヘッド送信を検出させるためのコードと、
を含むコンピュータ可読媒体を備えるコンピュータプログラム製品。
【図１】
0005384726.tif 000002
【図２】
0005384726.tif 000003
【図３】
0005384726.tif 000004
【図４】
0005384726.tif 000005
【図５】
0005384726.tif 000006
【図６】
0005384726.tif 000007
【図７】
0005384726.tif 000008
【図８】
0005384726.tif 000009
【図９】
0005384726.tif 000010
【図１０】
0005384726.tif 000011
【図１１】
0005384726.tif 000012
【図１２】
0005384726.tif 000013
【図１３】
0005384726.tif 000014
【図１４】
0005384726.tif 000015